(57)【特許請求の範囲】
【請求項１】
無線通信システムにおけるｅＮＢ（evolved-NodeB）の動作方法であって、
前記ｅＮＢが第１のＴＴＩ（Transmission Time Interval）に基づく第１無線フレーム構造に基づいてＰＤＳＣＨ（Physical Downlink Shared Channel）に第１ダウンリンクデータをマッピングするステップであって、
前記第１無線フレーム構造は、前記ＰＤＳＣＨ及びＰＤＣＣＨ（Physical Downlink Control CHannel）を含む構造であり、
前記第１のＴＴＩは、第１サブフレームが転送される時間に関連する、ステップと、
前記ｅＮＢが第２のＴＴＩに基づく第２無線フレーム構造に基づいてｓＰＤＳＣＨ（short PDSCH）に第２ダウンリンクデータをマッピングするステップであって、
前記第２無線フレーム構造は、前記ｓＰＤＳＣＨ及びｓＰＤＣＣＨ（short ＰＤＣＣＨ）を含む構造であり、
前記第２のＴＴＩは、第２サブフレームが転送される時間に関連する、ステップと、
前記ｅＮＢが前記第１ダウンリンクデータ及び前記第２ダウンリンクデータを転送するステップと、を含み、
前記ｓＰＤＳＣＨに関連した第１ＲＢ（resource block）に含まれる副搬送波の数は、前記ＰＤＳＣＨに関連した第２ＲＢに含まれる副搬送波の数より少なく、
前記ｓＰＤＣＣＨに関連した第１ＣＣＥ（control channel elements）のサイズは、前記ＰＤＣＣＨに関連した第２ＣＣＥのサイズより小さい、方法。
【請求項２】
前記第１ダウンリンクデータがマッピングされるダウンリンクセルは、前記第２ダウンリンクデータがマッピングされるダウンリンクセルと同一であり、
前記ダウンリンクセル内の一つ以上のサブバンドは、前記第２のＴＴＩに基づく無線フレーム構造に従って形成される、請求項１に記載の方法。
【請求項３】
前記第１ダウンリンクデータがマッピングされる第１ダウンリンクセルは、前記第２ダウンリンクデータがマッピングされる第２ダウンリンクセルと異なり、
前記第１ダウンリンクセル及び前記第２ダウンリンクセルは、併合される、請求項１に記載の方法。
【請求項４】
前記第２ダウンリンクセル内の一つ以上のサブバンドは、前記第２のＴＴＩに基づく無線フレーム構造に従って形成される、請求項３に記載の方法。
【請求項５】
前記第２のＴＴＩのサイズは、前記ｓＰＤＣＣＨのシンボルの数と、前記ｓＰＤＳＣＨのシンボルの数との和と同一である、請求項１に記載の方法。
【請求項６】
前記第２のＴＴＩのサイズは、ｓＰＤＣＣＨのシンボルの数と、前記ｓＰＤＳＣＨのシンボルの数との和と同一である、請求項１に記載の方法。
【請求項７】
前記第１ダウンリンクセルは、セカンダリーセルとして設定され、
前記第２ダウンリンクセルは、プライマリセルとして設定される、請求項３に記載の方法。
【請求項８】
前記第１ダウンリンクセル及び前記第２ダウンリンクセルの両方は、プライマリセルとして設定される、請求項３に記載の方法。
【請求項９】
前記ｅＮＢが前記第２のＴＴＩに基づく無線フレーム構造に対する制御情報をＲＲＣ（Radio Resource Control）メッセージを通じて転送するステップをさらに含む、請求項１に記載の方法。
【請求項１０】
前記ＲＲＣメッセージは、システム情報メッセージ、ＲＲＣ連結設定メッセージ、ＲＲＣ連結再設定メッセージ、又はＲＲＣ連結再確立メッセージの一つに該当する、請求項９に記載の方法。
【請求項１１】
無線通信システムにおけるｅＮＢ（evolved-NodeB）であって、
無線信号を送受信するためのＲＦ（Radio Frequency）ユニットと、
プロセッサと、を含み、
前記プロセッサは、
第１のＴＴＩ（Transmission Time Interval）に基づく第１無線フレーム構造に基づいてＰＤＳＣＨ（Physical Downlink Shared Channel）に第１ダウンリンクデータをマッピングし、
前記第１無線フレーム構造は、前記ＰＤＳＣＨ及びＰＤＣＣＨ（Physical Downlink Control CHannel）を含む構造であり、
前記第１のＴＴＩは、第１サブフレームが転送される時間に関連し、
第２のＴＴＩに基づく第２無線フレーム構造に基づいてｓＰＤＳＣＨ（short PDSCH）に第２ダウンリンクデータをマッピングし、
前記第２無線フレーム構造は、前記ｓＰＤＳＣＨ及びｓＰＤＣＣＨ（short ＰＤＣＣＨ）を含む構造であり、
前記第２のＴＴＩは、第２サブフレームが転送される時間に関連し、
前記第１ダウンリンクデータ及び前記第２ダウンリンクデータを転送する、ように構成され、
前記ｓＰＤＳＣＨに関連した第１ＲＢ（resource block）に含まれる副搬送波の数は、前記ＰＤＳＣＨに関連した第２ＲＢに含まれる副搬送波の数より少なく、
前記ｓＰＤＣＣＨに関連した第１ＣＣＥ（control channel elements）のサイズは、前記ＰＤＣＣＨに関連した第２ＣＣＥのサイズより小さい、ｅＮＢ。
【請求項１２】
無線通信システムにおけるＵＥ（User Equipment）の動作方法であって、
前記ＵＥが第１のＴＴＩ（Transmission Time Interval）に基づく第１無線フレーム構造に基づいてＰＤＳＣＨ（Physical Downlink Shared Channel）で第１ダウンリンクデータを受信するステップであって、
前記第１無線フレーム構造は、前記ＰＤＳＣＨ及びＰＤＣＣＨ（Physical Downlink Control CHannel）を含む構造であり、
前記第１のＴＴＩは、第１サブフレームが転送される時間に関連する、ステップと、
前記ＵＥが第２のＴＴＩに基づく第２無線フレーム構造に基づいてｓＰＤＳＣＨ（short PDSCH）で第２ダウンリンクデータを受信するステップと、を含み、
前記第２無線フレーム構造は、前記ｓＰＤＳＣＨ及びｓＰＤＣＣＨ（short ＰＤＣＣＨ）を含む構造であり、
前記第２のＴＴＩは、第２サブフレームが転送される時間に関連し、
前記ｓＰＤＳＣＨに関連した第１ＲＢ（resource block）に含まれる副搬送波の数は、前記ＰＤＳＣＨに関連した第２ＲＢに含まれる副搬送波の数より少なく、
前記ｓＰＤＣＣＨに関連した第１ＣＣＥ（control channel elements）のサイズは、前記ＰＤＣＣＨに関連した第２ＣＣＥのサイズより小さい、方法。
【請求項１３】
無線通信システムにおけるＵＥ（User Equipment）であって、
無線信号を送受信するためのＲＦ（Radio Frequency）ユニットと、
プロセッサと、を含み、
前記プロセッサは、
第１のＴＴＩ（Transmission Time Interval）に基づく第１無線フレーム構造に基づいてＰＤＳＣＨ（Physical Downlink Shared Channel）で第１ダウンリンクデータを受信し、
前記第１無線フレーム構造は、前記ＰＤＳＣＨ及びＰＤＣＣＨ（Physical Downlink Control CHannel）を含む構造であり、
前記第１のＴＴＩは、第１サブフレームが転送される時間に関連し、
第２のＴＴＩに基づく第２無線フレーム構造に基づいてｓＰＤＳＣＨ（short PDSCH）で第２ダウンリンクデータを受信する、ように構成され、
前記第２無線フレーム構造は、前記ｓＰＤＳＣＨ及びｓＰＤＣＣＨ（short ＰＤＣＣＨ）を含む構造であり、
前記第２のＴＴＩは、第２サブフレームが転送される時間に関連し、
前記ｓＰＤＳＣＨに関連した第１ＲＢ（resource block）に含まれる副搬送波の数は、前記ＰＤＳＣＨに関連した第２ＲＢに含まれる副搬送波の数より少なく、
前記ｓＰＤＣＣＨに関連した第１ＣＣＥ（control channel elements）のサイズは、前記ＰＤＣＣＨに関連した第２ＣＣＥのサイズより小さい、ＵＥ。
【発明の詳細な説明】
【技術分野】
【０００１】
本発明は無線通信システムに関し、より詳しくは、無線通信システムにおける２レベル（2-level）のＴＴＩ（transmission time interval）基盤の無線フレーム構造でデータを送受信するための方法及びこれを支援する装置に関する。
【背景技術】
【０００２】
移動通信システムは、ユーザの活動性を保障しながら音声サービスを提供するために開発された。しかしながら、移動通信システムは、音声だけでなくデータサービスまで領域を拡張し、現在では、爆発的なトラフィックの増加によって資源の不足現象が引き起こされ、ユーザがより高速のサービスを要求するので、より発展した移動通信システムが要求されている。
【０００３】
次世代移動通信システムの要求条件は、大きく爆発的なデータトラフィックの収容、ユーザ当たりの送信率の画期的な増加、大幅増加した接続デバイス数の収容、非常に低いエンドツーエンド遅延（End-to-End Latency）、高エネルギー効率をサポートできなければならない。このために、多重続性（Dual Connectivity）、大規模多重入出力（Ｍａｓｓｉｖｅ  ＭＩＭＯ：Massive Multiple Input Multiple Output）、全二重（In-band Full Duplex）、非直交多重接続（ＮＯＭＡ：Non-Orthogonal Multiple Access）、超広帯域（Super wideband）サポート、端末ネットワーキング（Device Networking）等、多様な技術が研究されている。 
【発明の概要】
【発明が解決しようとする課題】
【０００４】
本発明の目的は、未来広域無線通信システムにおける低遅延（low latency）データ通信を要求する端末のための２レベル（2-level）のＴＴＩ基盤の無線フレーム構造を提案する。
【０００５】
また、本発明の目的は、既存のレガシー端末に及ぼす影響を最小化するために同一バンド（band）内の一部サブバンドで、あるいは特定バンドで低遅延（low latency）の転送のための短いＴＴＩフレーム構造（short TTI frame structure）を提案する。
【０００６】
また、本発明の目的は、新しく定義される２レベル（2-level）のＴＴＩ基盤の無線フレーム構造でのデータを送受信する方法を提案する。
【０００７】
本発明で達成しようとする技術的課題は、以上で言及した技術的課題に制限されず、言及しない更に他の技術的課題は以下の記載から本発明が属する技術分野で通常の知識を有する者に明確に理解されるべきである。
【課題を解決するための手段】
【０００８】
本発明の一態様は、無線通信システムにおけるダウンリンクデータを転送する方法において、基地局が第１のＴＴＩ（Transmission Time Interval）基盤の無線フレーム構造に従うＰＤＳＣＨ（Physical Downlink Shared Channel）領域に第１ダウンリンクデータをマッピングするステップ、前記基地局が第２のＴＴＩ基盤の無線フレーム構造に従うｓＰＤＳＣＨ（short PDSCH）領域に第２ダウンリンクデータをマッピングするステップ、及び前記基地局が第１ダウンリンクデータ及び前記第２ダウンリンクデータを転送するステップを含むことができる。
【０００９】
本発明の他の一態様は、無線通信システムにおけるダウンリンクデータを転送する基地局において、無線信号を送受信するためのＲＦ（Radio Frequency）ユニット及びプロセッサを含み、前記プロセッサは第１のＴＴＩ（Transmission Time Interval）基盤の無線フレーム構造に従うＰＤＳＣＨ（Physical Downlink Shared Channel）領域に第１ダウンリンクデータをマッピングし、第２のＴＴＩ基盤の無線フレーム構造に従うｓＰＤＳＣＨ（short PDSCH）領域に第２ダウンリンクデータをマッピングし、第１ダウンリンクデータ及び前記第２ダウンリンクデータを転送するように構成できる。
【００１０】
本発明の他の一態様は、無線通信システムにおけるダウンリンクデータを受信する方法において、端末が第１のＴＴＩ（Transmission Time Interval）基盤の無線フレーム構造に従うＰＤＳＣＨ（Physical Downlink Shared Channel）領域で第１ダウンリンクデータを受信するステップ、及び前記端末が第２のＴＴＩ基盤の無線フレーム構造に従うｓＰＤＳＣＨ（short PDSCH）領域で第２ダウンリンクデータを受信するステップを含むことができる。
【００１１】
本発明の他の一態様は、無線通信システムにおけるダウンリンクデータを受信する端末において、無線信号を送受信するためのＲＦ（Radio Frequency）ユニット及びプロセッサを含み、前記プロセッサは第１のＴＴＩ（Transmission Time Interval）基盤の無線フレーム構造に従うＰＤＳＣＨ（Physical Downlink Shared Channel）領域で第１ダウンリンクデータを受信し、第２のＴＴＩ基盤の無線フレーム構造に従うｓＰＤＳＣＨ（short PDSCH）領域で第２ダウンリンクデータを受信するように構成できる。
【００１２】
好ましくは、前記第１ダウンリンクデータがマッピングされるダウンリンクセルと前記第２ダウンリンクデータがマッピングされるダウンリンクセルとは同一であり、前記ダウンリンクセル内の一つ以上のサブバンドは前記第２のＴＴＩ基盤の無線フレーム構造で構成できる。
【００１３】
好ましくは、前記第１ダウンリンクデータがマッピングされる第１ダウンリンクセルと前記第２ダウンリンクデータがマッピングされる第２ダウンリンクセルとは相異し、前記第１ダウンリンクセルと前記第２ダウンリンクセルとが結合（aggregation）できる。
【００１４】
好ましくは、前記第２ダウンリンクセル内の一つ以上のサブバンドは前記第２のＴＴＩ基盤の無線フレーム構造で構成できる。
【００１５】
好ましくは、前記第２のＴＴＩのサイズは前記ｓＰＤＳＣＨの領域のシンボル個数と同一でありうる。
【００１６】
好ましくは、前記第２のＴＴＩのサイズはｓＰＤＣＣＨ（short Physical Downlink Control Channel）領域のシンボル個数と前記ｓＰＤＳＣＨの領域のシンボル個数との和と同一でありうる。
【００１７】
好ましくは、前記第１ダウンリンクセルはセカンダリーセル（secondary cell）に設定され、前記第２ダウンリンクセルはプライマリセル（primary cell）に設定できる。
【００１８】
好ましくは、前記第１ダウンリンクセル及び前記第２ダウンリンクセルの両方がプライマリセル（primary cell）に設定できる。
【００１９】
好ましくは、前記第２のＴＴＩ基盤の無線フレーム構造に対する情報をＲＲＣ（Radio Resource Control）メッセージを通じて転送するステップをさらに含むことができる。
【００２０】
好ましくは、前記ＲＲＣメッセージは、システム情報（System Information）メッセージ、ＲＲＣ連結設定（RRC Connection Setup）メッセージ、ＲＲＣ連結再設定（RRC Connection Reconfiguration）メッセージ、及びＲＲＣ連結再確立（RRC Connection Reestablishment）メッセージのうち、いずれか一つでありうる。
【発明の効果】
【００２１】
本発明の実施形態によれば、２レベル（2-level）のＴＴＩ基盤の無線フレーム構造に基づいてデータを送受信することによって、データ転送から該当データに対する応答信号を受信するまでの往復無線レイテンシー（Round trip OTA Latency）を減少させることができる。
【００２２】
また、本発明の実施形態によれば、同一バンド（band）内の一部サブバンドで、あるいは特定バンドで低遅延（low latency）転送のための短いＴＴＩフレーム構造が適用されることによって、既存のレガシー端末に及ぼす影響を最小化することができる。
【００２３】
本発明で得ることができる効果は、以上で言及した効果に制限されず、言及しない更に他の効果は以下の記載から本発明が属する技術分野で通常の知識を有する者に明確に理解できる。
【図面の簡単な説明】
【００２４】
本発明に関する理解を助けるために詳細な説明の一部に含まれる添付図面は本発明に対する実施形態を提供し、詳細な説明と共に本発明の技術的特徴を説明する。
【００２５】
【図１】本発明が適用できる３ＧＰＰ ＬＴＥ／ＬＴＥ−Ａシステムに用いられる物理チャンネル及びこれらを用いた一般的な信号転送方法を説明するための図である。
【図２】本発明が適用できる無線通信システムにおける無線フレームの構造を示す。
【図３】本発明が適用できる無線通信システムにおける一つのダウンリンクスロットに対する資源グリッド（resource grid）を例示した図である。
【図４】本発明が適用できる無線通信システムにおけるダウンリンクサブフレームの構造を示す。
【図５】本発明が適用できる無線通信システムにおけるアップリンクサブフレームの構造を示す。
【図６】本発明が適用できる無線通信システムにおける同期信号（Synchronization Signal）の転送のための無線フレーム構造を例示したものである。
【図７】本発明が適用できる無線通信システムにおける同期信号の転送のための無線フレーム構造を例示したものである。
【図８】本発明が適用できる無線通信システムにおけるコンポーネントキャリア及びキャリア併合の一例を示す。
【図９】本発明が適用できる無線通信システムにおけるキャリア併合の一例を示す。
【図１０】本発明が適用できる無線通信システムにおけるクロスキャリアスケジューリングに従うサブフレーム構造の一例を示す。
【図１１】本発明が適用できる３ＧＰＰ ＬＴＥ／ＬＴＥ−Ａシステムにおける無線送受信遅延を例示する図である。
【図１２】本発明の一実施形態に係る無線フレーム構造を説明するための図である。
【図１３】本発明の一実施形態に係る無線フレーム構造を説明するための図である。
【図１４】本発明の一実施形態に係る無線フレーム構造を説明するための図である。
【図１５】本発明の一実施形態に係る無線フレーム構造を説明するための図である。
【図１６】本発明の一実施形態に係る無線フレーム構造を説明するための図である。
【図１７】本発明の一実施形態に係る無線フレーム構造を説明するための図である。
【図１８】本発明の一実施形態に係る無線フレーム構造を説明するための図である。
【図１９】本発明の一実施形態に係る短いＴＴＩフレーム構造に対する情報を転送する方法を例示する図である。
【図２０】本発明の一実施形態に係るキャリア側面２レベルフレーム構造のためのキャリア併合を設定する方法を例示する図である。
【図２１】キャリア側面２レベルフレーム構造のためのキャリア併合を設定する方法を例示する図である。
【図２２】本発明の一実施形態に係るデータ送受信方法を例示する図である。
【図２３】本発明の一実施形態に係るデータ送受信方法を例示する図である。
【図２４】本発明の一実施形態に係る短いＴＴＩ無線フレーム構造での無線送受信遅延を例示する図である。
【図２５】本発明の一実施形態に係る無線通信装置のブロック構成図を例示する。
【発明を実施するための形態】
【００２６】
以下、本発明にかかる好ましい実施の形態を添付された図面を参照して詳細に説明する。添付された図面と共に以下に開示する詳細な説明は、本発明の例示的な実施の形態を説明するためのものであり、本発明が実施されうる唯一の実施の形態を示すためのものではない。以下の詳細な説明は、本発明の完全な理解を提供するために具体的細部事項を含む。しかしながら、当業者は、本発明がこのような具体的細部事項がなくても実施できることを理解すべきである。
【００２７】
いくつかの場合、本発明の概念が曖昧になることを避けるために、公知の構造及び装置は省略されるか、または各構造及び装置の核心機能を中心にしたブロック図形式で示されることができる。
【００２８】
本明細書において基地局は、端末と直接的に通信を行うネットワークの終端ノード（terminal node）としての意味を有する。本文書において基地局により行われると説明された特定動作は、場合によっては、基地局の上位ノード（upper node）により行われても良い。即ち、基地局を含む多数のネットワークノード（network nodes）からなるネットワークにおいて端末との通信のために行われる多様な動作は、基地局または基地局以外の他のネットワークノードにより行われうることは明らかである。「基地局（ＢＳ：Base Station）」は、固定局（fixed station）、ＮｏｄｅＢ、ｅＮＢ（evolved-NodeB）、ＢＴＳ（base transceiver system）、アクセスポイント（ＡＰ：Access Point）などの用語により代替されることができる。また、「端末（Terminal）」は、固定されるか、または移動性を有することができ、ＵＥ（User Equipment）、ＭＳ（Mobile Station）、ＵＴ（user terminal）、ＭＳＳ（Mobile subscriber Station）、ＳＳ（Subscriber Station）、ＡＭＳ（Advanced Mobile Station）、ＷＴ（Wireless terminal）、ＭＴＣ（Machine-Type Communication）装置、Ｍ２Ｍ（Machine-to-Machine）装置、Ｄ２Ｄ（Device-to-Device）装置などの用語に代替されることができる。
【００２９】
以下、ダウンリンク（ＤＬ：downlink）は、基地局から端末への通信を意味し、アップリンク（ＵＬ：uplink）は、端末から基地局への通信を意味する。ダウンリンクにおける送信機は、基地局の一部で、受信機は、端末の一部でありうる。アップリンクにおける送信機は、端末の一部で、受信機は、基地局の一部でありうる。
【００３０】
以下の説明において用いられる特定用語は、本発明の理解に役立つために提供されたものであり、このような特定用語の使用は、本発明の技術的思想から外れない範囲内で他の形態に変更されることができる。
【００３１】
以下の技術は、ＣＤＭＡ（code division multiple access）、ＦＤＭＡ（frequency division multiple access）、ＴＤＭＡ（time division multiple access）、ＯＦＤＭＡ（orthogonal frequency division multiple access）、ＳＣ−ＦＤＭＡ（single carrier frequency division multiple access）、ＮＯＭＡ（non-orthogonal multiple access）などのような多様な無線接続システムに利用されることができる。ＣＤＭＡは、ＵＴＲＡ（universal terrestrial radio access）またはＣＤＭＡ２０００のような無線技術（radio technology）により具現化されることができる。ＴＤＭＡは、ＧＳＭ（登録商標）（global system for mobile communications）／ＧＰＲＳ（general packet radio service）／ＥＤＧＥ（enhanced data rates for GSM evolution）のような無線技術により具現化されることができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（evolved UTRA）などのような無線技術により具現化されることができる。ＵＴＲＡは、ＵＭＴＳ（universal mobile telecommunications system）の一部である。３ＧＰＰ（3rd generation partnership project）ＬＴＥ（long term evolution）は、Ｅ−ＵＴＲＡを使用するＥ−ＵＭＴＳ（evolved UMTS）の一部であり、ダウンリンクにおいてＯＦＤＭＡを採用し、アップリンクにおいてＳＣ−ＦＤＭＡを採用する。ＬＴＥ−Ａ（advanced）は、３ＧＰＰ ＬＴＥの進化である。
【００３２】
本発明の実施の形態は、無線接続システムであるＩＥＥＥ ８０２、３ＧＰＰ及び３ＧＰＰ２のうち、少なくとも１つに開示された標準文書により裏付けられることができる。即ち、本発明の実施の形態のうち、本発明の技術的思想を明確にあらわすために、説明しないステップまたは部分は、前記文書により裏付けられることができる。また、本文書に開示しているすべての用語は、前記標準文書により説明されることができる。
【００３３】
説明を明確にするために、３ＧＰＰ ＬＴＥ／ＬＴＥ−Ａを中心に述べるが、本発明の技術的特徴がこれに制限されることではない。
【００３４】
システム一般
図１は、本発明が適用できる３ＧＰＰ ＬＴＥ／ＬＴＥ−Ａシステムに用いられる物理チャンネル及びこれらを用いた一般的な信号転送方法を説明するための図である。
【００３５】
電源が切れた状態でまた電源が入ったり、新しくセルに進入した端末は、ステップＳ１０１で、基地局と同期を合せるなどの初期セル探索（initial cell search）作業を遂行する。このために、端末は基地局から主同期チャンネル（Ｐ−ＳＣＨ：primary synchronization channel）及び副同期チャンネル（Ｓ−ＳＣＨ：secondary synchronization channel）を受信して基地局と同期を合せて、セルＩＤ（identifier）などの情報を獲得する。
【００３６】
その後、端末は基地局から物理放送チャンネル（ＰＢＣＨ：physical broadcast channel）信号を受信してセル内の放送情報を獲得することができる。一方、端末は初期セル探索ステップでダウンリンク参照信号（ＤＬ ＲＳ：downlink reference signal）を受信してダウンリンクチャンネル状態を確認することができる。
【００３７】
初期セル探索を終えた端末は、ステップＳ１０２で、ＰＤＣＣＨ及びＰＤＣＣＨ情報に従うＰＤＳＣＨを受信して、より具体的なシステム情報を獲得することができる。
【００３８】
以後、端末は基地局に接続を完了するために、以後、ステップＳ１０３乃至ステップＳ１０６のようなランダムアクセス手続（random access procedure）を遂行することができる。このために、端末は物理ランダムアクセスチャンネル（ＰＲＡＣＨ：physical random access channel）を介してプリアンブル（preamble）を転送し（Ｓ１０３）、ＰＤＣＣＨ及びこれに対応するＰＤＳＣＨを介してプリアンブルに対する応答メッセージを受信することができる（Ｓ１０４）。競争基盤ランダムアクセスの場合、端末は追加的なＰＲＡＣＨ信号の転送（Ｓ１０５）及びＰＤＣＣＨ信号及びこれに対応するＰＤＳＣＨ信号の受信（Ｓ１０６）のような衝突解決手続（contention resolution procedure）を遂行することができる。
【００３９】
前述したような手続を遂行した端末は、以後、一般的なアップ／ダウンリンク信号転送手続として、ＰＤＣＣＨ信号及び／又はＰＤＳＣＨ信号の受信（Ｓ１０７）、及び物理アップリンク共有チャンネル（ＰＵＳＣＨ）信号及び／又は物理アップリンク制御チャンネル（ＰＵＣＣＨ）信号の転送（Ｓ１０８）を遂行することができる。
【００４０】
端末が基地局に転送する制御情報を通称してアップリンク制御情報（ＵＣＩ：uplink control information）と称する。ＵＣＩは、ＨＡＲＱ−ＡＣＫ／ＮＡＣＫ、スケジューリング要請（ＳＲ：scheduling request）、チャンネル品質指示子（ＣＱＩ）、プリコーディング行列指示子（ＰＭＩ：precoding matrix indicator）、ランク指示子（ＲＩ：rank indication）情報などを含む。
【００４１】
ＬＴＥ／ＬＴＥ−ＡシステムにおけるＵＣＩは、一般的にＰＵＣＣＨを介して周期的に転送されるが、制御情報とトラフィックデータが同時に転送されなければならない場合、ＰＵＳＣＨを介して転送できる。また、ネットワークの要請／指示によりＰＵＳＣＨを介してＵＣＩを非周期的に転送することができる。
【００４２】
図２は、本発明が適用できる無線通信システムにおける無線フレームの構造を示す。
【００４３】
ダウンリンク転送とアップリンク転送との間の無線資源を区分する方式を‘デュプレックス（duplex）’と定義する。
【００４４】
周波数バンドをダウンリンク転送バンドとアップリンク転送バンドとに区分して両方向送受信する場合、周波数分割デュプレックス（FDD Frequency Division Duplex）と表現する。ＦＤＤ方式によれば、アップリンク転送とダウンリンク転送が互いに異なる周波数帯域を占めながらなされる。
【００４５】
同一周波数バンドで時間領域（time domain）無線資源をダウンリンク時区間（time duration）資源とアップリンク時区間（time duration）資源とに区分して送受信する場合、時間分割デュプレックス（ＴＤＤ：Time Division Duplex）と表現する。
【００４６】
ＴＤＤ方式によれば、アップリンク転送とダウンリンク転送が同一な周波数帯域を占めながら互いに異なる時間になされる。ＴＤＤ方式のチャンネル応答は、実質的に相互的（reciprocal）である。これは、与えられた周波数領域でダウンリンクチャンネル応答とアップリンクチャンネル応答とがほとんど同一であるということを意味する。したがって、ＴＤＤに基づいた無線通信システムにおけるダウンリンクチャンネル応答は、アップリンクチャンネル応答から得られる長所がある。ＴＤＤ方式は全体周波数帯域をアップリンク転送とダウンリンク転送が時分割されるので、基地局によるダウンリンク転送と端末によるアップリンク転送とが同時に遂行できない。アップリンク転送とダウンリンク転送がサブフレーム単位で区分されるＴＤＤシステムにおいて、アップリンク転送とダウンリンク転送とは互いに異なるサブフレームで遂行される。
【００４７】
３ＧＰＰ ＬＴＥ／ＬＴＥ−Ａ標準では、ＦＤＤ（Frequency Division Duplex）に適用可能なタイプ１無線フレーム（radio frame）構造とＴＤＤ（Time Division Duplex）に適用可能なタイプ２の無線フレーム構造を支援する。
【００４８】
図２の（ａ）は、タイプ１の無線フレームの構造を例示する。無線フレーム（radio frame）は、１０個のサブフレーム（subframe）で構成される。一つのサブフレームは時間領域（time domain）で２個のスロット（slot）で構成される。一つのサブフレームを転送することにかかる時間をＴＴＩ（transmission time interval）という。例えば、一つのサブフレームの長さは１ｍｓであり、一つのスロットの長さは０．５ｍｓでありうる。
【００４９】
一つのスロットは時間領域で複数のＯＦＤＭ（orthogonal frequency division multiplexing）シンボルを含み、周波数領域で多数の資源ブロック（ＲＢ：Resource Block）を含む。３ＧＰＰ ＬＴＥはダウンリンクでＯＦＤＭAを使用するので、ＯＦＤＭシンボルは一つのシンボル区間（symbol period）を表現するためのものである。ＯＦＤＭシンボルは一つのＳＣ−ＦＤＭＡシンボルまたはシンボル区間ということができる。資源ブロック（resource block）は資源割り当て単位であり、一つのスロットで複数の連続的な副搬送波（subcarrier）を含む。
【００５０】
図２の（ｂ）は、タイプ２のフレーム構造（frame structure type 2）を示す。タイプ２の無線フレームは２個のハーフフレーム（half frame）で構成され、各ハーフフレームは５個のサブフレームとＤｗＰＴＳ（Downlink Pilot Time Slot）、保護区間（ＧＰ：Guard Period）、ＵｐＰＴＳ（Uplink Pilot Time Slot）で構成され、そのうち、一つのサブフレームは２個のスロットで構成される。ＤｗＰＴＳは端末での初期セル探索、同期化またはチャンネル推定に使われる。ＵｐＰＴＳは、基地局でのチャンネル推定と端末のアップリンク転送同期を合せることに使われる。保護区間は、アップリンクとダウンリンクとの間にダウンリンク信号の多重経路遅延によってアップリンクで生じる干渉を除去するための区間である。
【００５１】
ＴＤＤシステムのタイプ２フレーム構造でアップリンク−ダウンリンク構成（uplink-downlink configuration）は全てのサブフレームに対してアップリンクとダウンリンクが割り当て（または、予約）されるかを示す規則である。＜表１＞はアップリンク−ダウンリンク構成を示す。
【００５２】
【表１】
0006781152.tif 000002
【００５３】
＜表１＞を参照すると、無線フレームの各サブフレーム別に、‘Ｄ’はダウンリンク転送のためのサブフレームを示し、‘Ｕ’はアップリンク転送のためのサブフレームを示し、‘Ｓ’はＤｗＰＴＳ、ＧＰ、ＵｐＰＴＳの３種類のフィールドで構成されるスペシャルサブフレーム（special subframe）を示す。アップリンク−ダウンリンク構成は７種類に区分されることができ、各構成別にダウンリンクサブフレーム、スペシャルサブフレーム、アップリンクサブフレームの位置及び／又は個数が異なる。
【００５４】
ダウンリンクからアップリンクに変更される時点、またはアップリンクからダウンリンクに切り換えられる時点を切換時点（switching point）という。切換時点の周期性（Switch-point periodicity）は、アップリンクサブフレームとダウンリンクサブフレームが切り換えられる態様が同一に反復される周期を意味し、５ｍｓまたは１０ｍｓが全て支援される。５ｍｓダウンリンク−アップリンク切換時点の周期を有する場合には、スペシャルサブフレーム（Ｓ）はハーフ−フレーム毎に存在し、５ｍｓダウンリンク−アップリンク切換時点の周期を有する場合には、最初のハーフ−フレームのみに存在する。
【００５５】
全ての構成において、０番、５番サブフレーム、及びＤｗＰＴＳは、ダウンリンク転送のみのための区間である。ＵｐＰＴＳ及びサブフレームサブフレームに直ちに繋がるサブフレームは常にアップリンク転送のための区間である。
【００５６】
このようなアップリンク−ダウンリンク構成は、システム情報として基地局と端末が全て知っていることができる。基地局はアップリンク−ダウンリンク構成情報が変わる度に構成情報のインデックスのみを転送することによって、無線フレームのアップリンク−ダウンリンク割り当て状態の変更を端末に知らせることができる。また、構成情報は一種のダウンリンク制御情報として他のスケジューリング情報と同様にＰＤＣＣＨ（Physical Downlink Control Channel）を介して転送されることができ、放送情報としてブロードキャストチャンネル（broadcast channel）を介してセル内の全ての端末に共通に転送されることもできる。
【００５７】
無線フレームの構造は一つの例示に過ぎず、無線フレームに含まれる副搬送波の数またはサブフレームに含まれるスロットの数、スロットに含まれるＯＦＤＭシンボルの数は多様に変更できる。
【００５８】
図３は、本発明が適用できる無線通信システムにおける一つのダウンリンクスロットに対する資源グリッド（resource grid）を例示した図である。
【００５９】
図３を参照すると、一つのダウンリンクスロットは時間領域で複数のＯＦＤＭシンボルを含む。ここで、一つのダウンリンクスロットは７個のＯＦＤＭシンボルを含み、一つの資源ブロックは周波数領域で１２個の副搬送波を含むことを例示的に技術するが、これに限定されるものではない。
【００６０】
資源グリッド上で各要素（element）を資源要素（resource element）といい、一つの資源ブロック（ＲＢ：resource block）は１２×７個の資源要素を含む。ダウンリンクスロットに含まれる資源ブロックの数ＮDLはダウンリンク転送帯域幅（bandwidth）に従属する。
【００６１】
アップリンクスロットの構造はダウンリンクスロットの構造と同一でありうる。
【００６２】
図４は、本発明が適用できる無線通信システムにおけるダウンリンクサブフレームの構造を示す。
【００６３】
図４を参照すると、サブフレーム内の最初スロットで前の最大３個のＯＦＤＭシンボルは制御チャンネルが割り当てられる制御領域（control region）であり、残りのＯＦＤＭシンボルはＰＤＳＣＨ（Physical Downlink Shared Channel）が割り当てられるデータ領域（data region）である。３ＧＰＰ ＬＴＥで使われるダウンリンク制御チャンネルの一例に、ＰＣＦＩＣＨ（Physical Control Format Indicator Channel）、ＰＤＣＣＨ（Physical Downlink Control Channel）、ＰＨＩＣＨ（Physical Hybrid-ARQ Indicator Channel）などがある。
【００６４】
ＰＣＦＩＣＨは、サブフレームの最初のＯＦＤＭシンボルで転送され、サブフレーム内に制御チャンネルの転送のために使われるＯＦＤＭシンボルの数（即ち、制御領域のサイズ）に関する情報を運ぶ。ＰＨＩＣＨはアップリンクに対する応答チャンネルであり、ＨＡＲＱ（Hybrid Automatic Repeat Request）に対するＡＣＫ（Acknowledgement）／ＮＡＣＫ（Not-Acknowledgement）信号を運ぶ。ＰＤＣＣＨを介して転送される制御情報をダウンリンク制御情報（ＤＣＩ：downlink control information）という。ダウンリンク制御情報は、アップリンク資源割り当て情報、ダウンリンク資源割り当て情報、または任意の端末グループに対するアップリンク転送（Ｔｘ）パワー制御命令を含む。
【００６５】
ＰＤＣＣＨはＤＬ−ＳＣＨ（Downlink Shared Channel）の資源割り当て及び転送フォーマット（これをダウンリンクグラントともいう。）、ＵＬ−ＳＣＨ（Uplink Shared Channel）の資源割り当て情報（これをアップリンクグラントともいう。）、ＰＣＨ（Paging Channel）でのページング（paging）情報、ＤＬ−ＳＣＨでのシステム情報、ＰＤＳＣＨで転送されるランダムアクセス応答（random access response）のような上位レイヤ（upper-layer）制御メッセージに対する資源割り当て、任意の端末グループ内の個別端末に対する転送パワー制御命令の集合、ＶｏＩＰ（Voice over IP）の活性化などを運ぶことができる。複数のＰＤＣＣＨは制御領域内で転送されることができ、端末は複数のＰＤＣＣＨをモニタリングすることができる。ＰＤＣＣＨは一つまたは複数の連続的なＣＣＥ（control channel elements）の集合で構成される。ＣＣＥは無線チャンネルの状態に従う符号化率（coding rate）をＰＤＣＣＨに提供するために使われる論理的割り当て単位である。ＣＣＥは複数の資源要素グループ（resource element group）に対応される。ＰＤＣＣＨのフォーマット及び使用可能なＰＤＣＣＨのビット数はＣＣＥの数とＣＣＥにより提供される符号化率の間の関連関係によって決定される。
【００６６】
基地局は端末に転送しようとするＤＣＩによってＰＤＣＣＨフォーマットを決定し、制御情報にＣＲＣ（Cyclic Redundancy Check）を付ける。ＣＲＣにはＰＤＣＣＨの所有者（owner）や用途によって固有な識別子（これをＲＮＴＩ（Radio Network Temporary Identifier）という。）がマスキングされる。特定の端末のためのＰＤＣＣＨであれば、端末の固有な識別子、例えばＣ−ＲＮＴＩ（Cell-RNTI）がＣＲＣにマスキングできる。または、ページングメッセージのためのＰＤＣＣＨであれば、ページング指示識別子、例えばＰ−ＲＮＴＩ（Paging-RNTI）がＣＲＣにマスキングできる。システム情報、より具体的にシステム情報ブロック（ＳＩＢ：system information block）のためのＰＤＣＣＨであれば、システム情報識別子、ＳＩ−ＲＮＴＩ（system information RNTI）がＣＲＣにマスキングできる。端末のランダムアクセスプリアンブルの転送に対する応答であるランダムアクセス応答を指示するために、ＲＡ−ＲＮＴＩ（random access-RNTI）がＣＲＣにマスキングできる。
【００６７】
図５は、本発明が適用できる無線通信システムにおけるアップリンクサブフレームの構造を示す。
【００６８】
図５を参照すると、アップリンクサブフレームは周波数領域で制御領域とデータ領域とに分けられる。制御領域にはアップリンク制御情報を運ぶＰＵＣＣＨ（Physical Uplink Control Channel）が割り当てられる。データ領域はユーザデータを運ぶＰＵＳＣＨ（Physical Uplink Shared Channel）が割り当てられる。一般的に、単一搬送波特性を維持するために一つの端末はＰＵＣＣＨとＰＵＳＣＨを同時に転送しないことがある。
【００６９】
一つの端末に対するＰＵＣＣＨにはサブフレーム内に資源ブロック（ＲＢ：Resource Block）対が割り当てられる。ＲＢ対に属するＲＢは２個のスロットの各々で互いに異なる副搬送波を占める。これを、ＰＵＣＣＨに割り当てられたＲＢ対はスロット境界（slot boundary）で周波数跳躍（frequency hopping）されるという。
【００７０】
図６は、本発明が適用できる無線通信システムにおける同期信号（ＳＳ：Synchronization Signal）の転送のための無線フレーム構造を例示したものである。
【００７１】
特に、図６は周波数分割デュプレックス（ＦＤＤ）で同期信号及びＰＢＣＨの転送のための無線フレーム構造を例示したものであって、図６の（ａ）は一般ＣＰ（normal cyclic prefix）にて構成された無線フレームでＳＳ及びＰＢＣＨの転送位置を図示したものであり、図６の（ｂ）は拡張ＣＰ（extended CP）にて構成された無線フレームでＳＳ及びＰＢＣＨの転送位置を図示したものである。
【００７２】
ＵＥは電源が入ったり、新しくセルに進入した場合、前記セルとの時間及び周波数同期を獲得し、前記セルの物理セル識別子（physical cell identity）を検出（detect）するなどのセル探索（initial cell search）過程（procedure）を遂行する。このために、ＵＥはｅＮＢから同期信号、例えば、１次同期信号（ＰＳＳ：Primary Synchronization Signal）及び２次同期信号（ＳＳＳ：Secondary Synchronization Signal）を受信してｅＮＢと同期を合せて、セル識別子（ＩＤ：identity）などの情報を獲得することができる。
【００７３】
図６を参照してＳＳをより具体的に説明すると、次の通りである。
【００７４】
ＳＳはＰＳＳとＳＳＳとに区分される。ＰＳＳはＯＦＤＭシンボル同期、スロット同期などの時間ドメイン同期及び／又は周波数ドメイン同期を得るために使われて、ＳＳＳはフレーム同期、セルグループＩＤ及び／又はセルのＣＰ構成（即ち、一般ＣＰまたは拡張ＣＰの使用情報）を得るために使われる。
【００７５】
図６を参照すると、時間領域でＰＳＳとＳＳＳは毎無線フレームの２個のＯＦＤＭシンボルで各々転送される。具体的にＳＳはインター−ＲＡＴ（inter radio access technology）測定の容易性のためにＧＳＭ（登録商標）（Global System for Mobile communication）フレーム長さである４．６ｍｓを考慮してサブフレーム０の最初のスロットとサブフレーム５の最初のスロットで各々転送される。特に、ＰＳＳはサブフレーム０の最初のスロットの最後のＯＦＤＭシンボルとサブフレーム５の最初のスロットの最後のＯＦＤＭシンボルで各々転送され、ＳＳＳはサブフレーム０の最初のスロットの最後から２番目のＯＦＤＭシンボルとサブフレーム５の最初のスロットの最後から２番目のＯＦＤＭシンボルで各々転送される。
【００７６】
該当無線フレームの境界はＳＳＳを通じて検出できる。ＰＳＳは、該当スロットの最後のＯＦＤＭシンボルで転送され、ＳＳＳはＰＳＳの直ぐ前のＯＦＤＭシンボルで転送される。ＳＳの転送ダイバーシティ （diversity）方式は単一アンテナポート（single antenna port）のみを使用し、標準では別に定義していない。即ち、単一アンテナポート転送あるいはＵＥに透明な（transparent）転送方式（例、ＰＶＳ（Precoding Vector Switching）、ＴＳＴＤ（Time Switched Diversity）、ＣＤＤ（cyclic delay diversity））がＳＳの転送ダイバーシティのために使用できる。
【００７７】
図６を参照すると、ＰＳＳは５ｍｓ毎に転送されるので、ＵＥはＰＳＳを検出することによって、該当サブフレームがサブフレーム０とサブフレーム５のうちの一つであることが分かるが、該当サブフレームがサブフレーム０とサブフレーム５のうち、具体的に何かが分からない。したがって、ＵＥはＰＳＳだけでは無線フレームの境界を認知できない。即ち、ＰＳＳだけではフレーム同期が獲得できない。ＵＥは一無線フレーム内で２回転送され、かつ互いに異なるシーケンスとして転送されるＳＳＳを検出して無線フレームの境界を検出する。
【００７８】
図７は、本発明が適用できる無線通信システムにおける同期信号（ＳＳ）の転送のための無線フレーム構造を例示したものである。
【００７９】
図７を参照すると、周波数領域でＰＳＳ及びＳＳＳはダウンリンクシステム帯域幅（system bandwidth）の中心に位置する６個のＲＢにマッピングされる。ダウンリンクで全体ＲＢの個数はシステム帯域幅によって相異するＲＢの個数（例えば、６ＲＢ乃至１１０ＲＢ）で構成できるが、ＰＳＳとＳＳＳはダウンリンクシステム帯域幅の中心に位置する６個のＲＢにマッピングされるので、ダウンリンクシステム帯域幅に関わらず、ＵＥは同一な方法によりＰＳＳとＳＳＳを検出することができる。
【００８０】
ＰＳＳとＳＳＳは全て長さ６２のシーケンスで構成される。したがって、６ＲＢのうち、ＤＣサブキャリアの両側に位置する中間の６２個のサブキャリアにマッピングされ、ＤＣサブキャリアと両側端に位置する各々５個のサブキャリアは使われない。
【００８１】
ＰＳＳとＳＳＳの特定シーケンスによってＵＥは物理階層セルＩＤを獲得することができる。即ち、ＳＳは３個のＰＳＳと１６８個のＳＳの組み合わせにより総５０４個の固有の物理階層セル識別子（physical layer cell ID）を示すことができる。
【００８２】
言い換えると、前記物理階層セルＩＤは各物理階層セルＩＤが唯一つの物理−階層セル−識別子グループの部分になるように各グループが３個の固有な識別子を含む１６８個の物理−階層セル−識別子グループにグルーピングされる。したがって、物理階層セル識別子Ｎｃｅｌｌ ＩＤ＝３Ｎ（１）ＩＤ＋Ｎ（２）ＩＤは、物理−階層セル−識別子グループを示す０から１６７までの範囲内の番号Ｎ（１）ＩＤと前記物理−階層セル−識別子グループ内の前記物理−階層識別子を示す０から２までの番号Ｎ（２）ＩＤにより固有に定義される。
【００８３】
ＵＥはＰＳＳを検出して３個の固有な物理−階層識別子のうちの一つを知ることができ、ＳＳＳを検出して前記物理−階層識別子に関連した１６８個の物理階層セルＩＤのうちの一つを識別することができる。
【００８４】
ＰＳＳはＺＣ（Zadoff-Chu）シーケンスに基づいて生成される。各物理−階層セル−ＩＤグループ内の３個の物理−階層識別子に各々対応する３個のＺＳ ＰＳＳが使われる。
【００８５】
ＳＳＳはＭシーケンス（M-sequence）に基づいて生成される。各ＳＳＳシーケンスは周波数領域で長さが３１の２つのＳＳＣ １シーケンスとＳＳＣ ２シーケンスを交互に挿入して一つのシーケンスに生成される。この際、ＳＳＣ １シーケンスとＳＳＣ ２シーケンスは長さ３１のＭシーケンスに互いに異なる循環シフト値が適用されて生成される。この際、循環シフトインデックスは物理−階層セルＩＤグループの関数により定まる。
【００８６】
キャリヤ併合一般
本発明の実施の形態において考慮する通信環境は、マルチキャリヤ（Multi-carrier）サポート環境をすべて含む。即ち、本発明で用いられるマルチキャリアシステムまたはキャリヤ併合（ＣＡ：Carrier Aggregation）システムは、広帯域をサポートするために、目標とする広帯域を構成する時に目標帯域より小さな帯域幅（bandwidth）を有する１つ以上のコンポーネントキャリヤ（ＣＣ：Component Carrier）を併合（aggregation）して使用するシステムのことをいう。
【００８７】
本発明においてマルチキャリヤは、キャリヤの併合（または、搬送波集成）を意味し、このとき、キャリヤの併合は、隣接した（contiguous）キャリヤ間の併合だけでなく、隣接していない（non-contiguous）キャリヤ間の併合を全部意味する。また、ダウンリンクとアップリンクとの間に集成されるコンポーネントキャリヤの数は、異に設定されることができる。ダウンリンクコンポーネントキャリヤ（以下、ＤＬ ＣＣとする）の数とアップリンクコンポーネントキャリヤ（以下、ＵＬ ＣＣとする）の数とが同じ場合を対称な（symmetric）集成といい、その数が異なる場合を非対称な（asymmetric）集成という。このようなキャリヤ併合は、搬送波集成、帯域幅集成（bandwidth aggregation）、スペクトル集成（spectrum aggregation）などのような用語と混用して使用されることができる。
【００８８】
２つ以上のコンポーネントキャリヤが結合されて構成されるキャリヤ併合は、ＬＴＥ−Ａシステムでは、１００ＭＨｚ帯域幅までサポートすることを目標とする。目標帯域より小さな帯域幅を有する１つ以上のキャリヤを結合する時に、結合するキャリヤの帯域幅は、従来のＩＭＴシステムとの互換性（backward compatibility）を維持するために、従来のシステムにおいて使用する帯域幅に制限できる。例えば、従来の３ＧＰＰ ＬＴＥシステムでは、｛１．４， ３， ５， １０， １５， ２０｝ＭＨｚ帯域幅をサポートし、3GPP LTE-advancedシステム（即ち、ＬＴＥ−Ａ）では、既存システムとの互換のために上記の帯域幅だけを利用して２０ＭＨｚより大きな帯域幅をサポートするようにすることができる。また、本発明で用いられるキャリヤ併合システムは、既存システムで使用する帯域幅と関係なしで新たな帯域幅を定義してキャリヤ併合をサポートするようにすることができる。
【００８９】
ＬＴＥ−Ａシステムは、無線資源を管理するために、セル（cell）の概念を使用する。
【００９０】
上述のキャリヤ併合環境は、多重セル（multiple cells）環境と称することができる。セルは、ダウンリンク資源（ＤＬ ＣＣ）とアップリンク資源（ＵＬ ＣＣ）一対の組合せと定義されるが、アップリンク資源は、必須要素ではない。したがって、セルは、ダウンリンク資源単独、またはダウンリンク資源とアップリンク資源とから構成されることができる。特定端末がただ１つの設定されたサービングセル（configured serving cell）を有する場合、１つのＤＬ ＣＣと１つのＵＬ ＣＣを有することができるが、特定端末が２つ以上の設定されたサービングセルを有する場合には、セルの数だけのＤＬ ＣＣを有し、ＵＬ ＣＣの数は、それと同一であるか、またはそれより小さくありうる。
【００９１】
または、それと反対にＤＬ ＣＣとＵＬ ＣＣとが構成されることもできる。即ち、特定端末が多数の設定されたサービングセルを有する場合、ＤＬ ＣＣの数よりＵＬ ＣＣがより多くのキャリヤ併合環境もサポートされることができる。即ち、キャリヤ併合（carrier aggregation）は、各々キャリヤ周波数（セルの重心周波数）が互いに異なる２つ以上のセルの併合と理解されることができる。ここで、言う「セル（Cell）」は、一般に使用される基地局がカバーする領域としての「セル」とは区分されなければならない。
【００９２】
ＬＴＥ−Ａシステムにおいて使用されるセルは、プライマリセル（ＰＣｅｌｌ：Primary Cell）及びセコンダリーセル（ＳＣｅｌｌ：Secindary Cell）を含む。ＰセルとＳセルは、サービングセル（Serving Cell）として使用されることができる。RRC_CONNECTED状態にあるが、キャリヤ併合が設定されないか、またはキャリヤ併合をサポートしない端末の場合、Ｐセルだけから構成されたサービングセルがただ１つ存在する。反面、RRC_CONNECTED状態にあり、キャリヤ併合が設定された端末の場合、１つ以上のサービングセルが存在でき、全体サービングセルには、Ｐセルと１つ以上のＳセルが含まれる。
【００９３】
サービングセル（ＰセルとＳセル）は、ＲＲＣパラメータを介して設定されることができる。ＰｈｙｓＣｅｌｌＩｄは、セルの物理階層識別子であって、０から５０３までの定数値を有する。ＳＣｅｌｌＩｎｄｅｘは、Ｓセルを識別するために使用される簡略な（short）識別子であって、１から７までの定数値を有する。ＳｅｒｖＣｅｌｌＩｎｄｅｘは、サービングセル（ＰセルまたはＳセル）を識別するために使用される簡略な（short）識別子であって、０から７までの定数値を有する。０値は、Ｐセルに適用され、ＳＣｅｌｌＩｎｄｅｘは、Ｓセルに適用するために予め付与される。即ち、ＳｅｒｖＣｅｌｌＩｎｄｅｘにおいて最も小さなセルＩＤ（またはセルインデックス）を有するセルがＰセルになる。
【００９４】
Ｐセルは、プライマリ周波数（または、primary CC）上において動作するセルを意味する。端末が初期接続設定（initial connection establishment）過程を行うか、または接続再−設定過程を行うのに使用されることができ、ハンドオーバ過程で指示されたセルを指し示すことができる。また、Ｐセルは、キャリヤ併合環境で設定されたサービングセルのうち、制御関連通信の重心になるセルを意味する。即ち、端末は、自身のＰセルにおいてのＰＵＣＣＨを割り当てられて送信でき、システム情報を獲得するか、またはモニタリング手順を変更するのにＰセルだけを利用できる。Ｅ−ＵＴＲＡＮ（Evolved Universal Terrestrial Radio Access）は、キャリヤ併合環境をサポートする端末に移動性制御情報（mobilityControlInfo）を含む上位階層のＲＲＣ接続再設定（RRCConnectionReconfiguration）メッセージを用いて、ハンドオーバ手順のためにＰセルだけを変更することもできる。
【００９５】
Ｓセルは、セコンダリー周波数（または、Secondary CC）上において動作するセルを意味できる。特定端末にＰセルは、１つだけが割り当てられ、Ｓセルは、１つ以上が割り当てられることができる。Ｓセルは、ＲＲＣ接続が設定がなされた後に構成可能であり、追加的な無線資源を提供するのに使用されることができる。キャリヤ併合環境で設定されたサービングセルのうち、Ｐセルを除いた残りのセル、即ちＳセルには、ＰＵＣＣＨが存在しない。Ｅ−ＵＴＲＡＮは、Ｓセルをキャリヤ併合環境をサポートする端末に追加する時、RRC_CONNECTED状態にある関連したセルの動作と関連したすべてのシステム情報を特定シグナル（dedicated signal）を介して提供できる。システム情報の変更は、関連したＳセルの解除及び追加によって制御されることができ、このとき、上位階層のＲＲＣ接続再設定（RRCConnectionReconfiguration）メッセージを利用できる。Ｅ−ＵＴＲＡＮは、関連したＳセル内でブロードキャストするよりは、端末別に相異なったパラメータを有する特定シグナリング（dedicated signaling）できる。
【００９６】
初期セキュリティー活性化過程が始まった以後に、Ｅ−ＵＴＲＡＮは、接続設定過程で初期に構成されるＰセルに付加して、１つ以上のＳセルを含むネットワークを構成できる。キャリヤ併合環境でＰセル及びＳセルは、各々のコンポーネントキャリヤとして動作できる。以下の実施の形態では、プライマリコンポーネントキャリヤ（ＰＣＣ）は、Ｐセルと同じ意味として使用されることができ、セコンダリーコンポーネントキャリヤ（ＳＣＣ）は、Ｓセルと同じ意味として使用されることができる。
図８は、本発明が適用されることができる無線通信システムにおけるコンポーネントキャリヤ及びキャリヤ併合の一例を示す。
【００９７】
図８Ａは、ＬＴＥシステムにおいて使用される単一キャリヤ構造を示す。コンポーネントキャリヤには、ＤＬ ＣＣとＵＬ ＣＣがある。１つのコンポーネントキャリヤは、２０ＭＨｚの周波数範囲を有することができる。
【００９８】
図８Ｂは、ＬＴＥ＿Ａシステムにおいて使用されるキャリヤ併合構造を示す。図８Ｂの場合に、２０ＭＨｚの周波数大きさを有する３個のコンポーネントキャリヤが結合された場合を示す。ＤＬ ＣＣとＵＬ ＣＣがそれぞれ３個ずつあるが、ＤＬ ＣＣとＵＬ ＣＣの数に制限があるのてはない。キャリヤ併合の場合、端末は、３個のＣＣを同時にモニタリングでき、ダウンリンク信号／データを受信することができ、アップリンク信号／データを送信できる。
【００９９】
仮に、特定セルにおいてＮ個のＤＬ ＣＣが管理される場合には、ネットワークは、端末にＭ（Ｍ≦Ｎ）個のＤＬ ＣＣを割り当てることができる。このとき、端末は、Ｍ個の制限されたＤＬ ＣＣだけをモニタリングし、ＤＬ信号を受信することができる。また、ネットワークは、Ｌ（Ｌ≦Ｍ≦Ｎ）個のＤＬ ＣＣに優先順位をつけて主なＤＬ ＣＣを端末に割り当てることができ、このような場合、ＵＥは、Ｌ個のＤＬ ＣＣは、必ずモニタリングしなければならない。このような方式は、アップリンクの送信にも全く同様に適用されることができる。
【０１００】
ダウンリンク資源の搬送波周波数（または、ＤＬ ＣＣ）とアップリンク資源の搬送波周波数（または、ＵＬ ＣＣ）との間のリンケージ（linkage）は、ＲＲＣメッセージのような上位階層メッセージまたはシステム情報により指示されることができる。例えば、ＳＩＢ２（System Information Block Type 2）によって定義されるリンケージによって、ＤＬ資源とＵＬ資源との組合せが構成されることができる。具体的に、リンケージは、ＵＬグラントを運ぶＰＤＣＣＨが送信されるＤＬ ＣＣと前記ＵＬグラントを使用するＵＬ ＣＣ間のマッピング関係を意味でき、ＨＡＲＱのためのデータが送信されるＤＬ ＣＣ（または、ＵＬ ＣＣ）とＨＡＲＱ ＡＣＫ／ＮＡＣＫ信号が送信されるＵＬ ＣＣ（または、ＤＬ ＣＣ）間のマッピング関係を意味することもできる。
【０１０１】
図９は、本発明が適用できる無線通信システムにおけるキャリア併合の一例を示す。
【０１０２】
図９（ａ）は隣接した（contiguous）キャリア（即ち、Ｆ１、Ｆ２、及びＦ３）間の併合を例示し、図９（ｂ）は非隣接した（non-contiguous）キャリア（即ち、Ｆ１、Ｆ２、及びＦ３）間の併合を例示する。
【０１０３】
図９を参照すると、キャリア併合に設定されるコンポーネントキャリアは周波数上で隣接する必要がない。したがって、ネットワーク運営者は単一の広帯域スペクトル割り当てが可能でなくても砕けたスペクトルを用いて広帯域に基づいた高データ率（high data rate）サービスを提供することができる。
【０１０４】
また、キャリア併合は同一なバンド内での併合（intra-band aggregation）と互いに異なるバンド間の併合（inter-band aggregation）とに区分されることができ、これを通称する概念として理解することができる。
【０１０５】
隣接したキャリア（contiguous）間の併合は同一なバンド内での併合（intra-band aggregation）に該当できる。一方、非隣接した（non-contiguous）キャリア間の併合は同一なバンド内での併合（intra-band aggregation）だけでなく、互いに異なるバンド間の併合（inter-band aggregation）に該当できる。
【０１０６】
キャリア併合はセル特定（cell-specific）するようにセル毎に使用することができるキャリアに対する能力（capability）が定義される。このように使用可能キャリアをどのように使用するかを端末特定（user-specific）の方法により設定できる。即ち、セル内の使用可能キャリアにＦ１、Ｆ２、Ｆ４の３個のキャリアがある場合、特定端末はＦ１、Ｆ２を併合して使用し、更に他の端末はＦ２、Ｆ４を併合して使用できることを意味する。
【０１０７】
クロスキャリアスケジューリング（Cross Carrier Scheduling）
特定端末が一つ以上のキャリアを併合する場合、該当端末に対してＰセルとＳセルを定義して該当キャリアを運用するようにする。即ち、Ｐセルに設定されたキャリアは常に活性化（activated）状態で動作しなければならず、Ｓセルに設定されたキャリアは必要によって活性化（activation）または不活性化（deactivation）できることを意味する。ここで、一つ以上のＳセルが活性化された端末に対してＳセルに転送されるデータに対するスケジューリングは、次の通り遂行できる。
【０１０８】
キャリア併合システムでは、キャリア（または、搬送波）またはサービングセル（Serving Cell）に対するスケジューリングの観点から自己スケジューリング（Self-Scheduling）方法及びクロスキャリアスケジューリング（Cross Carrier Scheduling）方法の２種類がある。クロスキャリアスケジューリングは、クロスコンポーネントキャリアスケジューリング（Cross Component Carrier Scheduling）またはクロスセルスケジューリング（Cross Cell Scheduling）と称することができる。
【０１０９】
クロスキャリアスケジューリングは、ＰＤＣＣＨ（DL Grant）とＰＤＳＣＨが各々異なるＤＬ ＣＣで転送されるか、またはＤＬ ＣＣで転送されたＰＤＣＣＨ（UL Grant）によって転送されるＰＵＳＣＨがＵＬグラントを受信したＤＬ ＣＣとリンクされているＵＬ ＣＣでない異なるＵＬ ＣＣを通じて転送されることを意味する。
【０１１０】
クロスキャリアスケジューリングか否かは、端末特定（UE-specific）に活性化または不活性化されることができ、上位階層シグナリング（例えば、RRC signaling）を通じて半静的（semi-static）に各端末別に知らせることができる。
【０１１１】
クロスキャリアスケジューリングが活性化された場合、ＰＤＣＣＨに該当ＰＤＣＣＨが指示するＰＤＳＣＨ／ＰＵＳＣＨがどのＤＬ／ＵＬ ＣＣを通じて転送されるかを知らせてくれるキャリア指示子フィールド（ＣＩＦ：Carrier Indicator Field）が必要である。例えば、ＰＤＣＣＨはＰＤＳＣＨ資源またはＰＵＳＣＨ資源をＣＩＦを用いて多数のコンポーネントキャリアのうちの一つに割り当てることができる。即ち、ＤＬ ＣＣ上でのＰＤＣＣＨが多重集成されたＤＬ／ＵＬ ＣＣのうちの一つにＰＤＳＣＨまたはＰＵＳＣＨ資源を割り当てる場合、ＣＩＦが設定される。この場合、LTE-A Release-8のＤＣＩフォーマットは、ＣＩＦによって拡張できる。この際、設定されたＣＩＦは３ｂｉｔフィールドに固定されるか、設定されたＣＩＦの位置はＤＣＩフォーマットサイズに関わらず固定できる。また、LTE-A Release-8のＰＤＣＣＨ構造（同一コーディング及び同一なＣＣＥ基盤の資源マッピング）を再使用することもできる。
【０１１２】
一方、ＤＬ ＣＣ上でのＰＤＣＣＨが同一なＤＬ ＣＣ上でのＰＤＳＣＨ資源を割り当てるか、または単一リンクされたＵＬ ＣＣ上でのＰＵＳＣＨ資源を割り当てる場合にはＣＩＦが設定されない。この場合、LTE-A Release-8と同一なＰＤＣＣＨ構造（同一コーディング及び同一なＣＣＥ基盤の資源マッピング）とＤＣＩフォーマットが使用できる。
【０１１３】
クロスキャリアスケジューリングが可能な時、端末はＣＣ別転送モード及び／又は帯域幅によってモニタリングＣＣの制御領域で複数のＤＣＩに対するＰＤＣＣＨをモニタリングすることが必要である。したがって、これを支援することができる検索空間の構成とＰＤＣＣＨモニタリングが必要である。
【０１１４】
キャリア併合システムにおいて、端末ＤＬ ＣＣ集合は端末がＰＤＳＣＨを受信するようにスケジューリングされたＤＬ ＣＣの集合を示し、端末ＵＬ ＣＣ集合は端末がＰＵＳＣＨを転送するようにスケジューリングされたＵＬ ＣＣの集合を示す。また、ＰＤＣＣＨモニタリング集合（monitoring set）はＰＤＣＣＨモニタリングを遂行する少なくとも一つのＤＬ ＣＣの集合を示す。ＰＤＣＣＨモニタリング集合は、端末ＤＬ ＣＣ集合と同一であるか、または端末ＤＬ ＣＣ集合の副集合（subset）でありうる。ＰＤＣＣＨモニタリング集合は、端末ＤＬ ＣＣ集合内のＤＬ ＣＣのうち、少なくともいずれか一つを含むことができる。または、ＰＤＣＣＨモニタリング集合は端末ＤＬ ＣＣ集合に関わらず、別個に定義できる。ＰＤＣＣＨモニタリング集合に含まれるＤＬ ＣＣはリンクされたＵＬ ＣＣに対する自己−スケジューリング（self-scheduling）は常に可能であるように設定できる。このような端末ＤＬ ＣＣ集合、端末ＵＬ ＣＣ集合、及びＰＤＣＣＨモニタリング集合は、端末特定（UE-specific）、端末グループ特定（UE group-specific）またはセル特定（Cell-specific）に設定できる。
【０１１５】
クロスキャリアスケジューリングが不活性化された場合には、ＰＤＣＣＨモニタリング集合が常に端末ＤＬ ＣＣ集合と同一であることを意味し、このような場合にはＰＤＣＣＨモニタリング集合に対する別途のシグナリングのような指示が必要でない。しかしながら、クロスキャリアスケジューリングが活性化された場合には、ＰＤＣＣＨモニタリング集合が端末ＤＬ ＣＣ集合内で定義されることが好ましい。即ち、端末に対してＰＤＳＣＨまたはＰＵＳＣＨをスケジューリングするために、基地局はＰＤＣＣＨモニタリング集合のみを通じてＰＤＣＣＨを転送する。
【０１１６】
図１０は、本発明が適用できる無線通信システムにおけるクロスキャリアスケジューリングに従うサブフレーム構造の一例を示す。
【０１１７】
図１０を参照すると、ＬＴＥ−Ａ端末のためのＤＬサブフレームは３個のＤＬ ＣＣが結合されており、ＤＬ ＣＣ ‘Ａ’はＰＤＣＣＨモニタリングＤＬ ＣＣに設定された場合を示す。ＣＩＦが使われない場合、各ＤＬ ＣＣはＣＩＦ無しで自身のＰＤＳＣＨをスケジューリングするＰＤＣＣＨを転送することができる。一方、ＣＩＦが上位階層シグナリングを通じて使われる場合、唯一つのＤＬ ＣＣ ‘Ａ’のみＣＩＦを用いて自身のＰＤＳＣＨまたは他のＣＣのＰＤＳＣＨをスケジューリングするＰＤＣＣＨを転送することができる。この際、ＰＤＣＣＨモニタリングＤＬ ＣＣに設定されないＤＬ ＣＣ ‘Ｂ’と‘Ｃ’はＰＤＣＣＨを転送しない。
【０１１８】
２−レベル（2-level）無線フレーム構造及びデータ送受信方法
ＬＴＥ／ＬＴＥ−Ａシステムは１ｍｓ ＴＴＩ（transmission time interval）を有するフレーム構造で設計され、一般的にビデオアプリケーションのためのデータの要求遅延時間（requested delay time）は約１０ｍｓである。
【０１１９】
しかしながら、未来５Ｇ（Generation）技術はリアルタイム制御（real-time control）及び触感インターネット（tactile internet）のような新たなアプリケーションの登場によって、より低い遅延のデータ転送を要求しており、５Ｇデータの要求遅延時間は約１ｍｓまで低められることと予想している。
【０１２０】
しかしながら、従来１ｍｓ ＴＴＩを有するフレーム構造では１ｍｓデータ要求遅延を満たさないという問題がある。
【０１２１】
図１１は、本発明が適用できる３ＧＰＰ ＬＴＥ／ＬＴＥ−Ａシステムにおける無線送受信遅延を例示する図である。
【０１２２】
図１１では、無線送受信遅延のレファレンスを１ｍｓサブフレームを有する３ＧＰＰ ＬＴＥシステムのダウンリンク送受信具現観点から例示する。
【０１２３】
図１１を参照すると、基地局（ｅＮＢ）がダウンリンクサブフレームの転送を始めた時点から端末（ＵＥ）がダウンリンクサブフレームの受信を始めるまで拡散遅延（ＰＤ：Propagation Delay）が発生する。そして、端末がダウンリンクサブフレームのデコーディングの前にダウンリンクサブフレームをバッファリング（Buff：Buffering）するにつれて、バッファリング遅延が発生する。ダウンリンクサブフレーム転送に対する拡散遅延と端末でのバッファリングによる遅延は総約０．５ｍｓかかる。そして、端末ではダウンリンクサブフレームでＰＤＣＣＨをデコーディングし、ＰＤＣＣＨデコーディング情報に基づいてＰＤＳＣＨをデコーディングする。ＰＤＣＣＨデコーディング（約０．５ｍｓ）とＰＤＳＣＨデコーディング（約２ｍｓ未満）によるプロセシング遅延（processing delay）は約２．５ｍｓ未満がかかる。
【０１２４】
このように、基地局から端末への単方向無線レイテンシー（one-way OTA（Over-To-Air）Latency）は約３ｍｓ未満がかかる。
【０１２５】
そして、端末でＡ／Ｎ（ＡＣＫ／ＮＡＣＫ）準備（Ｐｒｅｐ：Preparation）（例えば、ＡＣＫ／ＮＡＣＫエンコーディングなど）のための遅延とＡ／Ｎの転送時に発生する拡散遅延（ＰＤ）は総約１ｍｓ未満がかかる。
【０１２６】
前記のように、単方向データ転送に対して送信側（例えば、基地局）で、受信側（例えば、端末）からＡＣＫ／ＮＡＣＫ受信までの総往復無線レイテンシー（Round trip OTA Latency）に一般的に約４ｍｓがかかる。
【０１２７】
５Ｇ無線通信システムは、既存の無線通信システム対比約１０倍減少したデータ遅延提供を目標としている。このような問題を解決するために、５Ｇはより短いＴＴＩ（例えば、０．２ｍｓ）を有する新たなフレーム構造を用いる無線通信システムが提案されることと予想される。
【０１２８】
また、５Ｇシステムは低レイテンシー（low latency）だけでなく、高容量（high capacity）、低エネルギー消費（low energy consumption）、低費用（low cost）、高ユーザデータ率（high user data rate）などの多様な要求事項を有するアプリケーションが共に共存することと予想される。このように、５Ｇは超低レイテンシー（Ultra Low Latency）を要求する応用から高いデータ転送率を要求する応用まで多様な種類の応用を共に支援するために従来とは異なる構造のシステムに進化することと予想される。
【０１２９】
したがって、端末のデータ受信遅延を最小化するためには、既存の無線通信システムとは異なる新たなフレーム構造が定義される必要があり、新たなフレーム構造によるレガシー（legacy）端末の影響は最小化されなければならない。
【０１３０】
本発明では、このように互いに異なる要求条件を有する多様なサービスをユーザに提供するために、特定端末に対して一つ以上のフレーム構造を提供するためのシステムを提案する。
【０１３１】
即ち、本発明ではサブバンド（sub-band）（または、サブバンドグループまたはバンド／キャリア）別にフレーム構造を設定することによって、一つ以上のサービス特定（service-specific）サブバンド（または、サブバンドグループまたはバンド／キャリア）を定義する。例えば、一般データ転送のための従来の１ｍｓ ＴＴＩフレーム構造と低レイテンシー（low latency）を要求するデータ転送のための短いＴＴＩ（short TTI）フレーム構造が特定端末に対して構成できるようにする。
【０１３２】
以下、本明細書で短いＴＴＩ（short TTI）は一つの短いＴＴＩサブフレーム（short TTI subframe）（または、短いサブフレーム）と同一な意味として理解できる。即ち、一つの短いサブフレーム内の制御領域とデータ領域が全て定義される場合、短いＴＴＩは制御領域とデータ領域を全て含むサイズを有し、短いサブフレーム内のデータ領域のみが定義される場合、短いＴＴＩはデータ領域のみを含むサイズを有する。
【０１３３】
以下、説明の便宜のためにＦＤＤタイプの一般ＣＰが適用された無線フレーム構造で本発明が適用される実施形態を説明する。但し、本発明はこれに限定されるものではなく、ＴＤＤタイプの無線フレーム構造または拡張ＣＰが適用された無線フレーム構造でも本発明が同一に適用できる。
【０１３４】
【化１】
0006781152.tif 000003
【０１３５】
【数１】
0006781152.tif 000004
【０１３６】
【化２】
0006781152.tif 000005
【０１３７】
【化３】
0006781152.tif 000006
【０１３８】
【化４】
0006781152.tif 000007
【０１３９】
前記の数式では、アップリンク帯域幅でサブバンドが算出される例を示したが、本発明ではこれと類似するようにダウンリンク帯域幅及び／又はアップリンク帯域幅で一つ以上のサブバンドが定義できる。
【０１４０】
前記のように、一つのダウンリンク及び／又はアップリンクバンド（即ち、キャリアまたはセル）は複数のサブバンドに区分できる。以下、一つのダウンリンク及び／又はアップリンクバンド内で一つ以上のサブバンド（または、サブバンドグループまたはバンド／キャリア）を短いＴＴＩフレームの構造で構成する方法について説明する。
【０１４１】
以下、説明の便宜のためにダウンリンクバンド（即ち、キャリアまたはセル）を仮定して説明する。
【０１４２】
図１２は、本発明の一実施形態に係る無線フレーム構造を説明するための図である。
【０１４３】
図１２を参照すると、既存のＰＤＣＣＨ１２０１は毎レガシーサブフレームで最大４個のシンボルに割り当てられる。即ち、毎サブフレームの最大＃０〜＃３番のシンボルでバンド（band）全帯域に亘って転送できる。図１２では、毎サブフレームの＃０、＃１番のシンボルでバンド（band）全帯域に亘ってＰＤＣＣＨ１２０１が割り当てられる場合を例示する。
【０１４４】
以下、説明の便宜のためにＰＤＣＣＨ１２０１は毎サブフレームで前の２個のシンボルにマッピングされると仮定して説明する。
【０１４５】
そして、低レイテンシーのためのサブバンドを除外した残りの周波数領域で、ＰＤＣＣＨ１２０１がマッピングされない残りのシンボルでは一般データ転送のために使用するＰＤＳＣＨ１２０２が割り当てられる。図１２では、＃３〜＃１３番のシンボルで低レイテンシーのためのサブバンドを除外した残りの周波数領域に亘ってＰＤＳＣＨ１２０２が割り当てられる場合を例示する。
【０１４６】
そして、任意のバンドで低レイテンシーのための一つ以上のサブバンド（または、サブバンドグループ）は短いＴＴＩフレームの構造で構成できる。
【０１４７】
即ち、レガシーサブフレームで一つ以上のサブバンド（または、サブバンドグループ）はＰＤＣＣＨ１２０１がマッピングされたシンボルを除外したシンボル（即ち、レガシーサブフレームの全体シンボルからＰＤＣＣＨが割り当てられたシンボルを除外した残りのシンボル）を短いＴＴＩサイズに該当するシンボルｎ個（例えば、２個乃至４個のシンボルなど）で割って短いＴＴＩサブフレーム（ｓＰＤＳＣＨ、１２０３）で構成される。この場合、短いＴＴＩサブフレームではｓＰＤＳＣＨのみが割り当てられるので、短いＴＴＩサブフレームとｓＰＤＳＣＨは同一な意味として理解できる。
【０１４８】
図１２のように、ＰＤＣＣＨ１２０１がレガシーサブフレームの前の２個のシンボルに割り当てられる場合、４個（＝１２／３）の短いサブフレーム（ｓＰＤＳＣＨ、１２０３）が構成できる。
【０１４９】
このように、短いＴＴＩフレーム構造で構成される場合、低レイテンシー（low latency）端末のための資源割り当て単位で短い資源ブロック（short RB）も新しく定義できる。例えば、短いＲＢは周波数領域では既存と同一に１２個のサブキャリアで構成され、時間領域ではｎ個のシンボル（即ち、短いＴＴＩサイズ）に定義することができる。また、短いＲＢは周波数領域でも既存より少ないｘ個（ｘ＜１２）のサブキャリアで構成されることもできる。
【０１５０】
レガシーＰＤＳＣＨと同様に、ｓＰＤＳＣＨ領域でデータの資源要素へのマッピングは先に周波数インデックスが増加する順にマッピングされ、そしてシンボルインデックスが増加する順にマッピングできる。
【０１５１】
前述したＰＤＣＣＨ１２０１、ｓＰＤＳＣＨ１２０３がマッピングされるシンボル（または、シンボルの個数）、一つのレガシーサブフレーム内の設定される短いＴＴＩの個数などは一つの例示に過ぎず、本発明はこれに限定されるものではない。
【０１５２】
図１２の例示のように、短いＴＴＩフレーム構造で構成される場合、短いＴＴＩサブフレーム（ｓＰＤＳＣＨ、１２０３）で転送されるダウンリンクデータに対する制御情報（例えば、ｓＰＤＳＣＨのダウンリンクデータに対する周波数／時間資源割り当て情報、復調及びコーディング方式（ＭＣＳ：Modulation and Coding Scheme）、新たなデータ指示子（ＮＤＩ：New Data Indicator）、リダンダンシーバージョン（ＲＶ：Redundancy Version）、転送パワー制御（ＴＰＣ：Transmit Power Control）命令など）はＰＤＣＣＨ１２０１を介して転送できる。
【０１５３】
このように基地局がＰＤＣＣＨ１２０１を介してｓＰＤＳＣＨ１２０３で転送されるダウンリンクデータに対する制御情報を転送する場合、ＰＤＣＣＨ１２０１はＰＤＳＣＨ１２０２だけでなく、ｓＰＤＳＣＨ１２０３と関連した制御情報を転送するようになる。したがって、端末はＰＤＳＣＨ１２０２または短いＴＴＩサブフレーム（ｓＰＤＳＣＨ、１２０３）のうち、どの領域で自身にダウンリンクデータが転送されるかを知らなければならない。
【０１５４】
このために、ダウンリンクデータ転送と関連したＤＣＩ（Downlink Control Information）フォーマットは‘ｓＰＤＳＣＨ指示子フィールド’を含むことができる。
【０１５５】
また、ダウンリンクデータ転送と関連したＤＣＩフォーマットは、１２／ｎ個の短いＴＴＩサブフレーム１２０３のうち、何番目の短いＴＴＩサブフレーム１２０３に転送されるデータに対するスケジューリングなのかを知らせる‘ＴＴＩ番号フィールド’を含むことができる。
【０１５６】
本発明で提案する各フィールドに対する詳細な内容は、以下の通りである。
【０１５７】
１）ｓＰＤＳＣＨ指示子（１ビット）
【０１５８】
本発明ではｓＰＤＳＣＨで転送されるダウンリンクデータと関連したＤＣＩがｓＰＤＳＣＨ指示子（例えば、１ビット）を含むことを提案する。
【０１５９】
また、従来のＰＤＣＣＨのダウンリンクデータスケジューリングのためのＤＣＩフォーマット（即ち、ＤＣＩフォーマット１、１Ａ、１Ｂ、１Ｃ）にｓＰＤＳＣＨ指示子（例えば、１ビット）が追加されることもできる。
【０１６０】
特定バンドが本発明で提案するサブバンド側面２レベルフレーム構造で構成される場合、短いＴＴＩのｓＰＤＳＣＨを介して転送されるデータを受信するために、端末は短いサブフレーム構造を用いてデータをデコーディングしなければ成功的にデータを受信することができない。
【０１６１】
したがって、端末がＰＤＣＣＨを受信する時、該当データが従来のＰＤＳＣＨを介して転送されるデータなのか、またはｓＰＤＳＣＨを介して転送されるデータなのかを区別できなければ該当データを成功的に受信できない。これを区分するためにＰＤＣＣＨを介して転送されるＤＣＩフォーマットは、ｓＰＤＳＣＨ指示子１ビットを含むことができる。
【０１６２】
２）ＴＴＩ番号（ｍビット、例えば、３シンボルのＴＴＩの場合は、２ビット）
【０１６３】
一つのＴＴＩがｎ（例えば、３）個のシンボルで構成される場合、端末は自身のダウンリンクデータが転送される領域（即ち、ＴＴＩ／ｓＰＤＳＣＨ）を区別できなければならない。
【０１６４】
このために、ｓＰＤＳＣＨで転送されるダウンリンクデータと関連したＤＣＩは１２／ｎ個（例えば、４個）の短いＴＴＩのうち、何番目のＴＴＩに転送されるダウンリンクデータに対するＤＣＩなのかを区別するためのＴＴＩ番号フィールドを含むことができる。
【０１６５】
また、従来のＰＤＣＣＨのダウンリンクデータスケジューリングのためのＤＣＩフォーマット（即ち、ＤＣＩフォーマット１、１Ａ、１Ｂ、１Ｃ）にＴＴＩ番号フィールドが含まれることもできる。
【０１６６】
ＴＴＩ番号フィールドはｍビット（例えば、ｎ＝３の場合、４個のＴＴＩ区別のためにＴＴＩ番号フィールドの長さは２ビット）長さで構成できる。これは、１ｍｓ以内（即ち、レガシーサブフレーム）にあるｓＰＤＳＣＨの番号を知らせる値に使用できる。
【０１６７】
仮に、一つのＴＴＩが３シンボルの場合、１ｍｓ内に４個のｓＰＤＳＣＨが存在し、これを区別するために２ビット長さのＴＴＩ番号フィールドがダウンリンクグラント（DL grant）に含まれることができる。即ち、該当フィールドの値は各々０ｂ００：０番目のｓＰＤＳＣＨ、０ｂ０１：１番目のｓＰＤＳＣＨ、０ｂ１０：２番目のｓＰＤＳＣＨ、０ｂ１１：３番目のｓＰＤＳＣＨを意味する。
【０１６８】
一方、前述したｓＰＤＳＣＨ指示子情報とＴＴＩ番号情報が一つのフィールドに構成されることもできる。
【０１６９】
即ち、ビットマップ形式に定義されたｓＰＤＳＣＨ指示及びＴＴＩ番号フィールドで上のｓＰＤＳＣＨ指示子情報と上のＴＴＩ番号情報を全て伝達することもできる。
【０１７０】
例えば、ＴＴＩが３シンボルの場合、１ｍｓ内に４個のｓＰＤＳＣＨが存在し、これを区別するために４ビット長さのｓＰＤＳＣＨ指示及びＴＴＩ番号フィールドが従来のＰＤＣＣＨのダウンリンクグラント（DL grant）に含まれることができる。即ち、該当フィールドの値は各々１０００：０番目のｓＰＤＳＣＨ、０１００：１番目のｓＰＤＳＣＨ、００１０：２番目のｓＰＤＳＣＨ、０００１：３番目のｓＰＤＳＣＨを意味する。このような値のうちのいずれか一つにｓＰＤＳＣＨ指示及びＴＴＩ番号フィールドの値がセッティングされれば、端末はダウンリンクデータがｓＰＤＳＣＨに転送されることが分かる。
【０１７１】
一方、ｓＰＤＳＣＨ指示及びＴＴＩ番号フィールドが全て‘００００’で構成されれば、これは該当端末に対するダウンリンクデータはｓＰＤＳＣＨを介して転送されず、ＰＤＳＣＨを介して転送されることを指示することができる。
【０１７２】
図１３は、本発明の一実施形態に係る無線フレーム構造を説明するための図である。
【０１７３】
図１３を参照すると、ＰＤＣＣＨ１３０１は毎サブフレームで前の最大４個のシンボルに割り当てられる。即ち、毎サブフレームの最大＃０〜＃３番のシンボルでバンド（band）全帯域に亘って転送できる。図１３では、毎サブフレームの＃０、＃１番のシンボルでバンド（band）全帯域に亘ってＰＤＣＣＨ１３０１が構成される場合を例示する。
【０１７４】
以下、説明の便宜のためにＰＤＣＣＨ１３０１は毎サブフレームで先の２個のシンボルにマッピングされると仮定して説明する。
【０１７５】
そして、低レイテンシーのためのサブバンドを除外した残りの周波数領域で、ＰＤＣＣＨ１３０１がマッピングされない残りのシンボルでは、一般データ転送のために使用するＰＤＳＣＨ１３０２が割り当てできる。図１３では、＃３〜＃１３番のシンボルで低レイテンシーのためのサブバンドを除外した残りの周波数領域に亘ってＰＤＳＣＨ１３０２が割り当てられる場合を例示する。
【０１７６】
そして、低レイテンシーのための一つ以上のサブバンド（または、サブバンドグループ）は、短いＴＴＩフレーム構造で構成される。具体的に、レガシーサブフレームで一つ以上のサブバンド（または、サブバンドグループ）は、ＰＤＣＣＨ１３０１がマッピングされた領域を除外したシンボル（即ち、レガシーサブフレームの全体シンボルでＰＤＣＣＨ１３０１が割り当てられたシンボルを除外した残りのシンボル）を短いＴＴＩサイズに該当するシンボルｎ個（例えば、２個乃至４個など）で割って短いＴＴＩサブフレーム（ｓＰＤＣＣＨ１３０３及びｓＰＤＳＣＨ１３０４）で構成される。
【０１７７】
即ち、毎短いＴＴＩサブフレームで前の一定シンボル（例えば、一つあるいは２個のシンボル）でｓＰＤＣＣＨ１３０３が割り当てられ、残りのシンボルでｓＰＤＳＣＨ１３０４が割り当てられる。
【０１７８】
ｓＰＤＣＣＨ１３０３のシンボル個数は制限されないが、仮に短いＴＴＩサブフレームが３個のシンボルで構成される場合、ｓＰＤＣＣＨ１３０３は一つのシンボルで構成されることが好ましい。
【０１７９】
図１３のように、ＰＤＣＣＨ１３０１がレガシーサブフレームの前の２個のシンボルに割り当てられる場合、４個（＝１２／３）の短いＴＴＩサブフレーム（ｓＰＤＣＣＨ１３０３及びｓＰＤＳＣＨ１３０４）が構成できる。そして、毎短いＴＴＩサブフレーム毎に前の一つのシンボルにｓＰＤＣＣＨ１３０３が割り当てられ、残りの２個のシンボルにｓＰＤＳＣＨ１３０４が割り当てできる。
【０１８０】
前述したように、短いＴＴＩフレーム構造で構成される場合、低レイテンシー（low latency）端末のための資源割り当て単位で短い資源ブロック（short RB）も新しく定義できる。例えば、短いＲＢは周波数領域では既存と同一に１２個のサブキャリアで構成され、時間領域ではｎ個のシンボル（即ち、短いＴＴＩサイズ）に定義することができる。また、短いＲＢは周波数領域でも既存より少ないｘ個（ｘ＜１２）のサブキャリアで構成されることもできる。
【０１８１】
また、レガシーＰＤＳＣＨと同様に、ｓＰＤＳＣＨ領域でデータの資源要素へのマッピングは、先に周波数インデックスが増加する順にマッピングされ、そしてシンボルインデックスが増加する順にマッピングできる。
【０１８２】
前述したＰＤＣＣＨ１３０１、ｓＰＤＣＣＨ１３０３、ｓＰＤＳＣＨ１３０４がマッピングされるシンボル（または、シンボルの個数）、一つのレガシーサブフレーム内の設定される短いＴＴＩの個数などは一つの例示に過ぎず、本発明はこれに限定されるものではない。
【０１８３】
図１３の例示のように、短いＴＴＩサブフレーム（ｓＰＤＣＣＨ１３０３及びｓＰＤＳＣＨ１３０４）が構成される場合、ｓＰＤＳＣＨ１３０４で転送されるダウンリンクデータに対するダウンリンク制御情報（例えば、ｓＰＤＳＣＨのダウンリンクデータに対する周波数／時間資源割り当て情報、ＭＣＳ、ＮＤＩ、ＲＶ、ＴＰＣ命令など）は、短いＴＴＩサブフレーム内に新しく定義されたｓＰＤＣＣＨ１３０３を介して転送できる。即ち、ｓＰＤＣＣＨ１３０３は短いＴＴＩサブフレーム内の所定のシンボルでサブバンド全帯域に亘って転送される。
【０１８４】
ＰＤＣＣＨ１００１は、一つ以上の連続的な制御チャンネル要素（ＣＣＥ：Control Channel Element）の集合で転送される。ＣＣＥは９個の資源要素グループ（ＲＥＧ：Resource Element Group）に該当し、ＲＥＧは４個の資源要素（ＲＥ）で構成される。
【０１８５】
但し、図１３のようにｓＰＤＣＣＨ１３０３が構成される場合、ｓＰＤＣＣＨ１３０３のフォーマットはＰＤＣＣＨ１３０１のフォーマットと同一でありうるが、他のフォーマットに定義されることもできる。例えば、ｓＰＤＣＣＨ１３０３フォーマットで一つのＣＣＥはｘ個（ｘ＜９）のＲＥＧで構成されるか、またはｓＰＤＣＣＨ１３０３領域にマッピングされるＲＥＧはｙ個（ｙ＜４）のＲＥで構成できる。
【０１８６】
一方、本発明は先の図１２及び図１３の例示のように、低レイテンシー（low latency）のための新たな無線フレーム構造の他にも従来のＬＴＥ／ＬＴＥ−Ａで定義された１ｍｓサブフレーム構造と異なる目的（例えば、低レイテンシーを要求するアプリケーションで発生したデータ転送）として開発されたフレーム構造を同一バンドで使用することができる。これについて図面を参照して以下に説明する。
【０１８７】
図１４は、本発明の一実施形態に係る無線フレーム構造を説明するための図である。
【０１８８】
図１４を参照すると、同一なフレーム構造の物理チャンネルがサブバンド（または、サブバンドグループ）別に設計できる。この場合、ＰＤＣＣＨはサブバンド（または、サブバンドグループ）別に構成される。
【０１８９】
即ち、該当サブバンド（または、サブバンドグループ）に割り当てられるＰＤＣＣＨは、該当サブバンド（または、サブバンドグループ）に割り当てられるＰＤＳＣＨのための制御情報（例えば、ＰＤＳＣＨまたはｓＰＤＳＣＨのダウンリンクデータに対する周波数／時間資源割り当て情報、ＭＣＳ、ＮＤＩ、ＲＶ、ＴＰＣ命令など）を伝達する。
【０１９０】
このような方案は、従来のＬＴＥ／ＬＴＥ−Ａの無線フレーム構造をそのまま使用し、低レイテンシーのためのサービスで発生したデータを特定サブバンドを通じて転送する場合に使用できる。
【０１９１】
例えば、サブバンド（または、サブバンドグループ）＃１は一般データを転送するためのサブバンドであり、サブバンド（または、サブバンドグループ）＃２は低レイテンシーが要求されるアプリケーションで発生したデータを転送するためのサブバンドとして定義することができる。
【０１９２】
ここで、低レイテンシーが要求されるアプリケーションで発生したデータを転送するためのサブバンド（または、サブバンドグループ）の制御領域に割り当てられる制御チャンネルをｓＰＤＣＣＨと称し、データ領域に割り当てられるデータチャンネルをＰＤＳＣＨと称することもできる。
【０１９３】
図１４のように、サブバンド（または、サブバンドグループ）別に互いに異なる目的のためのデータを転送する場合、低レイテンシーが要求されるアプリケーションで発生したデータを転送するためのサブバンド（または、サブバンドグループ）で転送されるＰＤＣＣＨ（または、ｓＰＤＣＣＨ）のフォーマットは、既存のＰＤＣＣＨのフォーマットと同一でありうるが、異なるフォーマットに定義されることもできる。例えば、低レイテンシーが要求されるアプリケーションで発生したデータを転送するためのサブバンドグループ（または、サブバンドグループ）で転送されるＰＤＣＣＨ（または、ｓＰＤＣＣＨ）で一つのＣＣＥはｘ個（ｘ＜９）のＲＥＧで構成されるか、またはＲＥＧはｙ個（ｙ＜４）のＲＥで構成できる。
【０１９４】
キャリア／セル側面で２レベルフレーム構造（Carrier/Cell-wise  2-level frame structure）
本発明はサブバンド側面（subband-wise）でないキャリア／セル側面２レベルフレーム構造（carrier-wise2-level frame structure）にも適用できる。
【０１９５】
即ち、従来のＬＴＥ／ＬＴＥ−Ａフレーム構造のキャリアと低レイテンシーのための新たな無線フレーム構造のキャリアを特定ユーザのために割り当てることができる。
【０１９６】
これは、キャリア併合（carrier aggregation）の更に他の方法に使用できる。この場合、Ｐセル（ＰＣｅｌｌ：Primary Cell）は従来のＬＴＥ／ＬＴＥ−Ａフレーム構造のセルになることが好ましいが、端末特性によって新たなフレーム構造のセルがＰセルに動作するように設定することもできる。または、低レイテンシーを要求する端末には互いに異なるフレーム構造のセル２個を必ず併合して動作するように設定することによって、２個のセルが全てＰセルとして動作するように設定することもできる。
【０１９７】
図１５は、本発明の一実施形態に係る無線フレーム構造を説明するための図である。
【０１９８】
図１５を参照すると、バンド（または、キャリア／セル）１はレガシーフレーム構造で構成され、バンド（または、キャリア／セル）２は本発明で提案する短いＴＴＩフレーム構造で構成され、バンド１及び２が特定端末に対してキャリア併合（ＣＡ）された場合を例示する。
【０１９９】
バンド１でＰＤＣＣＨ１５０１及びＰＤＳＣＨ１５０２は既存のＬＴＥ／ＬＴＥ−Ａシステムの定義によってマッピングできる。即ち、ＰＤＣＣＨ１５０１は毎レガシーサブフレームで前の最大４個のシンボルに割り当てられる。即ち、毎サブフレームの最大＃０〜＃３番のシンボルでバンド１の全帯域に亘って転送できる。図１５では、毎サブフレームの＃０、＃１番のシンボルでバンド１の全帯域に亘ってＰＤＣＣＨ１５０１が割り当てられる場合を例示する。
【０２００】
そして、ＰＤＣＣＨ１５０１がマッピングされない残りのシンボルでは一般データ転送のために使用するＰＤＳＣＨ１５０２がバンド１の全帯域に割り当てできる。図１５では、＃３〜＃１３番のシンボルでバンド１の全帯域に亘ってＰＤＳＣＨ１５０２が割り当てられる場合を例示する。
【０２０１】
短いＴＴＩフレーム構造で構成されるバンド２では、一つのレガシーサブフレーム（即ち、１ｍｓ）内の一つ以上のスペシャルシンボル１５０３及びｎ個のシンボルのサイズを有する一つ以上のｓＰＤＳＣＨ１５０４で構成できる。
【０２０２】
図１５では、バンド２の一つのレガシーサブフレームで１シンボルのサイズを有するスペシャルシンボル１５０３と３シンボルのサイズ（ｎ＝３）を有するｓＰＤＳＣＨ１５０４の２個がマッピングされ、次いで１シンボルのサイズを有するスペシャルシンボル１５０３と３シンボルのサイズ（ｎ＝３）を有するｓＰＤＳＣＨ１５０４の２個がマッピングされて構成される場合を例示する。
【０２０３】
即ち、短いＴＴＩ無線フレーム構造は１レガシーサブフレーム（即ち、１ｍｓ）の以内に４個の短いＴＴＩが存在する構造であって、一つの短いＴＴＩは３シンボル（即ち、ｓＰＤＳＣＨ長さ）、約０．２ｍｓの長さを有する。
【０２０４】
ここで、スペシャルシンボル１５０３はレガシーサブフレームの全体シンボルの個数で短いＴＴＩのサイズ（図１５で３シンボル）で割った残りのシンボル（２＝１４％３）に構成できる。この際、スペシャルシンボル１５０３とｓＰＤＳＣＨ１５０４が時間軸上でマッピングされる順序は図１５と相異することがある。
【０２０５】
図１５のように、一つのバンドにスペシャルシンボル１５０３とｓＰＤＳＣＨ１５０４だけで構成される場合、ｓＰＤＳＣＨ１５０４で転送されるダウンリンクデータに対する制御情報（例えば、ｓＰＤＳＣＨのダウンリンクデータに対する周波数／時間資源割り当て情報、ＭＣＳ、ＮＤＩ、ＲＶ、ＴＰＣ命令など）は、他のバンド（図１５でバンド１）のＰＤＣＣＨ１５０１を介して転送できる。即ち、クロスキャリアスケジューリング（cross carrier scheduling）が適用できる。
【０２０６】
このように、基地局がＰＤＣＣＨ１５０１を介してｓＰＤＳＣＨ１５０４で転送されるダウンリンクデータに対する制御情報を転送する場合、ＰＤＣＣＨ１５０１はバンド１のＰＤＳＣＨ１５０２だけでなく、バンド２のｓＰＤＳＣＨ１５０４と関連した制御情報を転送するようになる。したがって、端末はＰＤＳＣＨ１５０２またはｓＰＤＳＣＨ１５０４のうち、どの領域で自身にダウンリンクデータが転送されるかを知らなければならない。
【０２０７】
このために、先の図１２の例示に説明したように、ダウンリンクデータ転送と関連したＤＣＩ（Downlink Control Information）フォーマットは‘ｓＰＤＳＣＨ指示子フィールド’及び／又は１２／ｎ個のｓＰＤＳＣＨ１５０４のうち、何番目のｓＰＤＳＣＨ１５０４に転送されるデータに対するスケジューリングなのかを知らせる‘ＴＴＩ番号フィールド’を含むことができる。
【０２０８】
また、ｓＰＤＳＣＨ指示子情報とＴＴＩ番号情報が一つのフィールドに構成されることもできる。即ち、ビットマップ形式に定義されたｓＰＤＳＣＨ指示及びＴＴＩ番号フィールドで上のｓＰＤＳＣＨ指示子情報と上のＴＴＩ番号情報を全て伝達することもできる。
【０２０９】
前述したように、短いＴＴＩフレーム構造で構成される場合、低レイテンシー（low latency）端末のための資源割り当て単位で短い資源ブロック（short RB）も新しく定義できる。例えば、短いＲＢは周波数領域では既存と同一に１２個のサブキャリアで構成され、時間領域ではｎ個のシンボル（即ち、短いＴＴＩサイズ）に定義することができる。また、短いＲＢは周波数領域でも既存より少ないｘ個（ｘ＜１２）のサブキャリアで構成されることもできる。
【０２１０】
また、レガシーＰＤＳＣＨと同様に、ｓＰＤＳＣＨ領域でデータの資源要素へのマッピングは、先に周波数インデックスが増加する順にマッピングされ、そしてシンボルインデックスが増加する順にマッピングできる。
【０２１１】
一方、図１５でスペシャルシンボル（special symbol）１５０３の代りにｓＰＤＳＣＨ１５０４と関連した制御情報を転送するｓＰＤＣＣＨ１５０３が割り当てられることもできる。
【０２１２】
この場合、短いＴＴＩフレーム構造で構成されるバンド２では一つ以上のｓＰＤＳＣＨ１５０４に対してｓＰＤＣＣＨ１５０３がマッピングできる。図１５で、一つのレガシーサブフレーム内で左側から１、２番目のｓＰＤＳＣＨ１５０４は１番目のｓＰＤＣＣＨ１５０３にマッピングされ、３、４番目のｓＰＤＳＣＨ１５０４は２番目のｓＰＤＣＣＨ１５０３にマッピングされる。
【０２１３】
したがって、ｓＰＤＳＣＨ１５０４で転送されるダウンリンクデータに対する制御情報（例えば、ｓＰＤＳＣＨのダウンリンクデータに対する周波数／時間資源割り当て情報、ＭＣＳ、ＮＤＩ、ＲＶ、ＴＰＣ命令など）は、該当ｓＰＤＳＣＨ１５０４とマッピングされるｓＰＤＣＣＨ１５０３（即ち、該当ｓＰＤＳＣＨの以前の最も最近に転送されたｓＰＤＣＣＨ）を介して転送できる。この際、ｓＰＤＣＣＨ１５０３はバンド全帯域に亘って転送される。
【０２１４】
短いＴＴＩフレーム構造で構成されるバンドのｓＰＤＣＣＨ１５０３フォーマットは、既存のＰＤＣＣＨ１５０１のフォーマットと同一でありうるが、他のフォーマットに定義されることもできる。例えば、ｓＰＤＣＣＨ１５０３フォーマットで一つのＣＣＥはｘ個（ｘ＜９）のＲＥＧで構成されるか、またはｓＰＤＣＣＨ１５０３領域にマッピングされるＲＥＧはｙ個（ｙ＜４）のＲＥで構成できる。
【０２１５】
前述したように、レガシーフレーム構造で構成されるバンド１または短いＴＴＩフレーム構造で構成されるバンド２がＰセルとして動作することができる。また、低レイテンシーを要求する端末にはレガシーフレーム構造で構成されるバンド１及び短いＴＴＩフレーム構造で構成されるバンド２を必ず併合するように設定することによって、バンド１及びバンド２全てＰセルとして動作するように設定することもできる。
【０２１６】
前述したＰＤＣＣＨ１５０１、ｓＰＤＣＣＨ１５０３、ｓＰＤＳＣＨ１５０４がマッピングされるシンボル（または、シンボルの個数）、一つのレガシーサブフレーム内の設定される短いＴＴＩの個数などは一つの例示に過ぎず、本発明はこれに限定されるものではない。
【０２１７】
但し、低レイテンシーのためのフレーム構造設計のために短いＴＴＩのサイズｎ（シンボル個数）は７より小さな値を有することが好ましい。
【０２１８】
図１６は、本発明の一実施形態に係る無線フレーム構造を説明するための図である。
【０２１９】
図１６を参照すると、バンド（または、キャリア／セル）１はレガシーフレーム構造で構成され、バンド（または、キャリア／セル）２は本発明で提案する短いＴＴＩフレーム構造で構成され、バンド１及び２が特定端末に対してキャリア併合（ＣＡ）された場合を例示する。
【０２２０】
バンド１は先の図１５の例示と同一であるので説明を省略する。
【０２２１】
短いＴＴＩフレーム構造で構成されるバンド２では一つのレガシーサブフレーム（即ち、１ｍｓ）内の一つ以上のスペシャルシンボル１６０３及びｎ個のシンボルのサイズを有する一つ以上のｓＰＤＳＣＨ１６０４で構成できる。
【０２２２】
図１６では、バンド２の一つのレガシーサブフレーム内の２シンボルのサイズを有するスペシャルシンボル１６０３と３シンボルのサイズ（ｎ＝３）を有するｓＰＤＳＣＨ１６０４の４個が連続的にマッピングされて構成される場合を例示する。
【０２２３】
即ち、短いＴＴＩ無線フレーム構造は１レガシーサブフレーム（即ち、１ｍｓ）以内に４個の短いＴＴＩが存在する構造であって、一つの短いＴＴＩは３シンボル（即ち、ｓＰＤＳＣＨ長さ）、約０．２ｍｓの長さを有する。
【０２２４】
ここで、スペシャルシンボル１６０３はレガシーサブフレームの全体シンボルの個数で短いＴＴＩのサイズ（図１６で３シンボル）で割った残りのシンボル（２＝１４％３）に構成できる。この際、スペシャルシンボル１６０３とｓＰＤＳＣＨ１６０４が時間軸上にマッピングされる順序は図１６と相異することがある。
【０２２５】
図１６のように、一つのバンドにスペシャルシンボル１６０３とｓＰＤＳＣＨ１６０４だけで構成される場合、ｓＰＤＳＣＨ１６０４で転送されるダウンリンクデータに対する制御情報（例えば、ｓＰＤＳＣＨのダウンリンクデータに対する周波数／時間資源割り当て情報、ＭＣＳ、ＮＤＩ、ＲＶ、ＴＰＣ命令など）は、他のバンド（図１６でバンド１）のＰＤＣＣＨ１６０１を介して転送できる。即ち、クロスキャリアスケジューリング（cross carrier scheduling）が適用できる。
【０２２６】
このように基地局がＰＤＣＣＨ１６０１を介してｓＰＤＳＣＨ１６０４で転送されるダウンリンクデータに対する制御情報を転送する場合、ＰＤＣＣＨ１６０１はバンド１のＰＤＳＣＨ１６０２だけでなく、バンド２のｓＰＤＳＣＨ１６０４と関連した制御情報を転送するようになる。したがって、端末はＰＤＳＣＨ１６０２またはｓＰＤＳＣＨ１６０４のうち、どの領域で自身にダウンリンクデータが転送されるかを知らなければならない。
【０２２７】
このために、先の図１２で説明したように、ダウンリンクデータ転送と関連したＤＣＩ（Downlink Control Information）フォーマットは‘ｓＰＤＳＣＨ指示子フィールド’及び／又は１２／ｎ個のｓＰＤＳＣＨ１６０４のうちの何番目のｓＰＤＳＣＨ１６０４に転送されるデータに対するスケジューリングなのかを知らせる‘ＴＴＩ番号フィールド’を含むことができる。
【０２２８】
また、ｓＰＤＳＣＨ指示子情報とＴＴＩ番号情報が一つのフィールドで構成されることもできる。即ち、ビットマップ形式に定義されたｓＰＤＳＣＨ指示及びＴＴＩ番号フィールドで上のｓＰＤＳＣＨ指示子情報と上のＴＴＩ番号情報を全て伝達することもできる。
【０２２９】
前述したように、短いＴＴＩフレーム構造で構成される場合、低レイテンシー（low latency）端末のための資源割り当て単位で短い資源ブロック（short RB）も新しく定義できる。例えば、短いＲＢは周波数領域では既存と同一に１２個のサブキャリアで構成され、時間領域ではｎ個のシンボル（即ち、短いＴＴＩサイズ）に定義することができる。また、短いＲＢは周波数領域でも既存より少ないｘ個（ｘ＜１２）のサブキャリアで構成されることもできる。
【０２３０】
また、レガシーＰＤＳＣＨと同様に、ｓＰＤＳＣＨ領域でデータの資源要素へのマッピングは先に周波数インデックスが増加する順にマッピングされ、そしてシンボルインデックスが増加する順にマッピングできる。
【０２３１】
一方、図１６でスペシャルシンボル（special symbol）１６０３の代りにｓＰＤＳＣＨ１６０４と関連した制御情報を転送するｓＰＤＣＣＨ１６０３が割り当てられることもできる。
【０２３２】
この場合、短いＴＴＩフレーム構造で構成されるバンド２では一つ以上のｓＰＤＳＣＨ１６０４に対してｓＰＤＣＣＨ１６０３がマッピングできる。図１６で、一つのレガシーサブフレーム内で左側から１〜４番目のｓＰＤＳＣＨ１６０４は１番目のｓＰＤＣＣＨ１６０３にマッピングされる。
【０２３３】
したがって、ｓＰＤＳＣＨ１６０４で転送されるダウンリンクデータに対する制御情報（例えば、ｓＰＤＳＣＨのダウンリンクデータに対する周波数／時間資源割り当て情報、ＭＣＳ、ＮＤＩ、ＲＶ、ＴＰＣ命令など）は、該当ｓＰＤＳＣＨ１６０４とマッピングされるｓＰＤＣＣＨ１６０３（即ち、該当ｓＰＤＳＣＨの以前の最も最近に転送されたｓＰＤＣＣＨ）を介して転送できる。この際、ｓＰＤＣＣＨ１６０３はバンド全帯域に亘って転送される。
【０２３４】
短いＴＴＩフレーム構造で構成されるバンドのｓＰＤＣＣＨ１６０３フォーマットは、既存のＰＤＣＣＨ１６０１のフォーマットと同一でありうるが、他のフォーマットに定義されることもできる。例えば、ｓＰＤＣＣＨ１６０３フォーマットで一つのＣＣＥはｘ個（ｘ＜９）のＲＥＧで構成されるか、またはｓＰＤＣＣＨ１６０３領域にマッピングされるＲＥＧはｙ個（ｙ＜４）のＲＥで構成できる。
【０２３５】
前述したように、レガシーフレーム構造で構成されるバンド１または短いＴＴＩフレーム構造で構成されるバンド２がＰセルとして動作することができる。また、低レイテンシーを要求する端末にはレガシーフレーム構造で構成されるバンド１及び短いＴＴＩフレーム構造で構成されるバンド２を必ず併合するように設定することによって、バンド１及びバンド２全てＰセルとして動作するように設定することもできる。
【０２３６】
前述したｓＰＤＣＣＨ１６０３、ｓＰＤＳＣＨ１６０４がマッピングされるシンボル（または、シンボルの個数）、一つのレガシーサブフレーム内の設定される短いＴＴＩの個数などは一つの例示に過ぎず、本発明はこれに限定されるものではない。
【０２３７】
但し、低レイテンシーのためのフレーム構造の設計のために短いＴＴＩのサイズｎ（シンボル個数）は７より小さな値を有することが好ましい。
【０２３８】
図１７は、本発明の一実施形態に係る無線フレーム構造を説明するための図である。
【０２３９】
図１７を参照すると、バンド（または、キャリア／セル）１はレガシーフレーム構造で構成され、バンド（または、キャリア／セル）２は、本発明で提案する短いＴＴＩフレーム構造で構成され、バンド１及び２が特定端末に対してキャリア併合（ＣＡ）された場合を例示する。
【０２４０】
バンド１は先の図１５の例示と同一であるので、説明を省略する。
【０２４１】
短いＴＴＩフレーム構造で構成されるバンド２では一つ以上のレガシーサブフレーム（即ち、３ｍｓ）内のｓＰＤＣＣＨ１７０３及びｓＰＤＳＣＨ１７０４が交互に構成できる。
【０２４２】
図１７では、バンド２の３個のレガシーサブフレーム内の１シンボルのサイズを有するｓＰＤＣＣＨ１７０３と２シンボルのサイズ（ｎ＝２）を有するｓＰＤＳＣＨ１７０４が交互にマッピングされて構成される場合を例示する。
【０２４３】
即ち、短いＴＴＩ無線フレーム構造は３レガシーサブフレーム（即ち、１ｍｓ）以内に１４個の短いＴＴＩが存在する構造であって、一つの短いＴＴＩは３シンボル（即ち、ｓＰＤＣＣＨ及びｓＰＤＳＣＨ長さ）、約０．２ｍｓの長さを有する。
【０２４４】
前述したように、短いＴＴＩフレーム構造で構成される場合、低レイテンシー（low latency）端末のための資源割り当て単位で短い資源ブロック（short RB）も新しく定義できる。例えば、短いＲＢは周波数領域では既存と同一に１２個のサブキャリアで構成され、時間領域ではｎ個のシンボル（即ち、短いＴＴＩサイズ）に定義することができる。また、短いＲＢは周波数領域でも既存より少ないｘ個（ｘ＜１２）のサブキャリアで構成されることもできる。
【０２４５】
また、レガシーＰＤＳＣＨと同様に、ｓＰＤＳＣＨ領域でデータの資源要素へのマッピングは、先に周波数インデックスが増加する順にマッピングされ、そしてシンボルインデックスが増加する順にマッピングできる。
【０２４６】
ｓＰＤＳＣＨ１７０４で転送されるダウンリンクデータに対する制御情報（例えば、ｓＰＤＳＣＨのダウンリンクデータに対する周波数／時間資源割り当て情報、ＭＣＳ、ＮＤＩ、ＲＶ、ＴＰＣ命令など）は、該当ｓＰＤＳＣＨ１７０４とマッピングされるｓＰＤＣＣＨ１７０３（即ち、該当ｓＰＤＳＣＨの以前の最も最近に転送されたｓＰＤＣＣＨ）を介して転送できる。この際、ｓＰＤＣＣＨ１７０３はバンド全帯域に亘って転送される。
【０２４７】
短いＴＴＩフレーム構造で構成されるバンドのｓＰＤＣＣＨ１７０３フォーマットは、既存のＰＤＣＣＨ１７０１のフォーマットと同一でありうるが、異なるフォーマットに定義されることもできる。例えば、ｓＰＤＣＣＨ１７０３フォーマットで一つのＣＣＥはｘ個（ｘ＜９）のＲＥＧで構成されるか、またはｓＰＤＣＣＨ１６０３の領域にマッピングされるＲＥＧはｙ個（ｙ＜４）のＲＥで構成できる。
【０２４８】
前述したように、レガシーフレーム構造で構成されるバンド１または短いＴＴＩフレーム構造で構成されるバンド２がＰセルとして動作することができる。また、低レイテンシーを要求する端末にはレガシーフレーム構造で構成されるバンド１及び短いＴＴＩフレーム構造で構成されるバンド２を必ず併合するように設定することによって、バンド１及びバンド２全てＰセルとして動作するように設定することもできる。
【０２４９】
前述したｓＰＤＣＣＨ１７０３、ｓＰＤＳＣＨ１７０４がマッピングされるシンボル（または、シンボルの個数）、一つのレガシーサブフレーム内の設定される短いＴＴＩの個数などは一つの例示に過ぎず、本発明はこれに限定されるものではない。
【０２５０】
但し、低レイテンシーのためのフレーム構造設計のために短いＴＴＩのサイズｎ（シンボル個数）は７より小さな値を有することが好ましい。
【０２５１】
サブバンド及びキャリア／セル側面で２レベルフレーム構造
一方、前述したサブバンド側面とキャリア／セル側面で２レベルフレーム構造（Carrier-wise 2-level frame structure）が共に適用されることもできる。これに対して以下の図面を参照して説明する。
【０２５２】
図１８は、本発明の一実施形態に係る無線フレーム構造を説明するための図である。
【０２５３】
図１８を参照すると、バンド（または、キャリア／セル）１はレガシーフレーム構造で構成され、バンド（または、キャリア／セル）２は本発明で提案するサブバンド側面の短いＴＴＩフレーム構造で構成され、バンド１及び２が特定端末に対してキャリア併合（ＣＡ）された場合を例示する。
【０２５４】
バンド１は、先の図１５の例示と同一であるので、説明を省略する。
【０２５５】
バンド２は複数のサブバンド（または、サブバンドグループ）に区分され、そのうちの一つ以上のサブバンド（または、サブバンドグループ）が短いＴＴＩフレーム構造で構成できる。
【０２５６】
より具体的に説明すると、ＰＤＣＣＨ１８１１は毎サブフレームで前のシンボルに割り当てられ、前の最大４個のシンボルに割り当てられる。即ち、毎サブフレームの最大＃０〜＃３番のシンボルでバンド（band）全帯域に亘って転送できる。図１８では、毎サブフレームの＃０、＃１番のシンボルでバンド（band）全帯域に亘ってＰＤＣＣＨ１８１１が構成される場合を例示する。
【０２５７】
以下、説明の便宜のためにＰＤＣＣＨ１８１１は毎サブフレームで前の２個のシンボルにマッピングされると仮定して説明する。
【０２５８】
そして、低レイテンシーのためのサブバンドを除外した残りの周波数領域で、ＰＤＣＣＨ１８１１がマッピングされない残りのシンボルでは一般データ転送のために使用するＰＤＳＣＨ１８１２が割り当てできる。図１８では＃３〜＃１３番のシンボルで低レイテンシーのためのサブバンドを除外した残りの周波数領域に亘ってＰＤＳＣＨ１８１２が割り当てられる場合を例示する。
【０２５９】
そして、低レイテンシーのための一つ以上のサブバンド（または、サブバンドグループ）は、短いＴＴＩフレーム構造で構成される。具体的に、レガシーサブフレームで一つ以上のサブバンド（または、サブバンドグループ）はＰＤＣＣＨ１８１１がマッピングされた領域を除外したシンボル（即ち、レガシーサブフレームの全体シンボルでＰＤＣＣＨ１８１１が割り当てられたシンボルを除外した残りのシンボル）を短いＴＴＩサイズに該当するシンボルｎ個（例えば、２個乃至４個など）で割って短いＴＴＩサブフレーム（ｓＰＤＣＣＨ１８１３及びｓＰＤＳＣＨ１８１４）で構成される。
【０２６０】
即ち、毎短いＴＴＩサブフレームで前の一定シンボル（例えば、一つあるいは２個シンボル）でｓＰＤＣＣＨ１８１３が割り当てられ、残りのシンボルでｓＰＤＳＣＨ１８１４が割り当てられる。
【０２６１】
ｓＰＤＣＣＨ１８１３のシンボル個数は制限されないが、仮に短いＴＴＩサブフレームが３個のシンボルで構成される場合、ｓＰＤＣＣＨ１８１３は一つのシンボルで構成されることが好ましい。
【０２６２】
図１８のように、ＰＤＣＣＨ１８１１がレガシーサブフレームの前の２個のシンボルに割り当てられる場合、４個（＝１２／３）の短いＴＴＩサブフレーム（ｓＰＤＣＣＨ１８１３及びｓＰＤＳＣＨ１８１４）が構成できる。そして、毎短いＴＴＩサブフレーム毎に前の一つのシンボルにｓＰＤＣＣＨ１８１３が割り当てられ、残りの２個のシンボルにｓＰＤＳＣＨ１８１４が割り当てられる。
【０２６３】
即ち、短いＴＴＩ無線フレーム構造は１レガシーサブフレーム（即ち、１ｍｓ）以内に４個の短いＴＴＩが存在する構造であって、一つの短いＴＴＩは３シンボル、約０．２ｍｓの長さを有するデータチャンネルを示す。
【０２６４】
前述したように、短いＴＴＩフレーム構造で構成される場合、低レイテンシー（low latency）端末のための資源割り当て単位で短い資源ブロック（short RB）も新しく定義できる。例えば、短いＲＢは周波数領域では、既存と同一に１２個のサブキャリアで構成され、時間領域ではｎ個のシンボル（即ち、短いＴＴＩサイズ）に定義することができる。また、短いＲＢは周波数領域でも既存より少ないｘ個（ｘ＜１２）のサブキャリアで構成されることもできる。
【０２６５】
また、レガシーＰＤＳＣＨと同様に、ｓＰＤＳＣＨ領域でデータの資源要素へのマッピングは、先に周波数インデックスが増加する順にマッピングされ、そしてシンボルインデックスが増加する順にマッピングできる。
【０２６６】
図１８の例示のように、特定バンドの一部サブバンドが短いＴＴＩフレーム構造で構成される場合、ｓＰＤＳＣＨ１８１４で転送されるダウンリンクデータに対する制御情報（例えば、ｓＰＤＳＣＨのダウンリンクデータに対する周波数／時間資源割り当て情報、ＭＣＳ、ＮＤＩ、ＲＶ、ＴＰＣ命令など）は、該当ｓＰＤＳＣＨ１８１４とマッピングされるｓＰＤＣＣＨ１８１３（該当ｓＰＤＳＣＨの以前の最も最近に転送されたｓＰＤＣＣＨ）を介して転送できる。即ち、図１８で左側から１番目のｓＰＤＳＣＨ１８１４で転送されるダウンリンクデータに対する制御情報は１番目のｓＰＤＣＣＨ１８１３で転送され、２番目のｓＰＤＳＣＨ１８１４で転送されるダウンリンクデータに対する制御情報は２番目のｓＰＤＣＣＨ１８１３で転送され、その他にも同一である。
【０２６７】
短いＴＴＩフレーム構造で構成されるバンドのｓＰＤＣＣＨ１８１３フォーマットは、既存のＰＤＣＣＨ１８１１のフォーマットと同一でありうるが、異なるフォーマットに定義されることもある。例えば、ｓＰＤＣＣＨ１８１３フォーマットで一つのＣＣＥはｘ個（ｘ＜９）のＲＥＧで構成されるか、またはｓＰＤＣＣＨ１８１３領域にマッピングされるＲＥＧはｙ個（ｙ＜４）のＲＥで構成できる。
【０２６８】
前述したように、レガシーフレーム構造で構成されるバンド１または一部サブバンドが短いＴＴＩフレーム構造で構成されるバンド２がＰセルとして動作することができる。また、低レイテンシーを要求する端末にはレガシーフレーム構造で構成されるバンド１及び一部サブバンドが短いＴＴＩフレーム構造で構成されるバンド２を必ず併合するように設定することによって、バンド１及びバンド２全てＰセルとして動作するように設定することもできる。
【０２６９】
前述したＰＤＣＣＨ１８１１、ｓＰＤＣＣＨ１８１３、ｓＰＤＳＣＨ１８１４がマッピングされるシンボル（または、シンボルの個数）、一つのレガシーサブフレーム内の設定される短いＴＴＩの個数などは一つの例示に過ぎず、本発明はこれに限定されるものではない。
【０２７０】
短いＴＴＩフレーム構造に対する構成情報（configuration information）転送方法
本発明で提案する短いＴＴＩフレーム構造に対する無線資源情報は、セル情報を転送するためのＲＲＣメッセージを通じて転送できる。
【０２７１】
図１９は、本発明の一実施形態に係る短いＴＴＩフレーム構造に対する情報を転送する方法を例示する図である。
【０２７２】
図１９を参照すると、基地局は端末に短いＴＴＩフレーム構造に対する無線資源情報（以下、‘短いＴＴＩ無線資源情報’）をＲＲＣメッセージを通じて端末に転送する（Ｓ１９０１）。
【０２７３】
ここで、ＲＲＣメッセージの一例にシステム情報（System Information）メッセージ、ＲＲＣ連結設定（RRC Connection Setup）メッセージ、ＲＲＣ連結再設定（RRC Connection Reconfiguration）メッセージ、またはＲＲＣ連結再確立（RRC Connection Reestablishment）メッセージが該当できる。
【０２７４】
より具体的に説明すると、次の通りである。
【０２７５】
１）短いＴＴＩ無線資源情報は、セル特定（cell-specific）ＲＲＣメッセージを通じて端末に転送できる。
【０２７６】
例えば、短いＴＴＩ無線資源情報は、システム情報（system information）または移動性制御情報（mobility control information）内で各々共通的な無線資源構成を特定するために使われる無線資源共通設定（‘RadioResourceConfigCommon’）情報要素（ＩＥ：Information Element）に含まれて転送できる。
【０２７７】
‘RadioResourceConfigCommon’ＩＥは、移動性制御情報（‘MobilityControlInfo’）ＩＥまたはシステム情報ブロックタイプ２（ＳＩＢ−２：System Information Block Type 2）（または、新しく定義されたＳＩＢ−ｘ）に含まれて転送できる。移動性制御情報（‘MobilityControlInfo’）ＩＥは、Ｅ−ＵＴＲＡ内でネットワークが制御する移動性（network controlled mobility）と関連したパラメータを含むＩＥである。
【０２７８】
移動性制御情報（‘MobilityControlInfo’）ＩＥは、ＲＲＣ連結再設定（RRC Connection Reconfiguration）メッセージを通じて転送できる。ＲＲＣ連結再設定（RRC Connection Reconfiguration）メッセージは、ＲＲＣ連結を修正するための命令メッセージである。
【０２７９】
また、移動性制御情報（‘MobilityControlInfo’）ＩＥは、ＳＩＢ−２（または、ＳＩＢ−ｘ）はシステム情報（System Information）メッセージを通じて転送できる。システム情報メッセージは、一つ以上のシステム情報ブロック（ＳＩＢ）を転送するために使われるメッセージである。
【０２８０】
２）短いＴＴＩ無線資源情報は、低レイテンシー（low latency）端末のための情報であるので、端末特定（uesr-specific）ＲＲＣメッセージを通じて低レイテンシー（low latency）端末に転送されることもできる。
【０２８１】
例えば、短いＴＴＩ無線資源情報は、端末特定物理チャンネル構成を特定するために使われる専用ＰＤＳＣＨ設定（‘pdschConfigDedicated’）ＩＥ、または専用物理資源設定（‘physicalConfigDedicated’）ＩＥに含まれて転送できる。
【０２８２】
専用ＰＤＳＣＨ設定（‘pdschConfigDedicated’）ＩＥまたは専用物理資源設定（‘physicalConfigDedicated’）ＩＥは、専用無線資源設定（‘RadioResourceConfigDedicated’）ＩＥに含まれて転送できる。専用無線資源設定（‘RadioResourceConfigDedicated’）ＩＥは、無線ベアラー（ＲＢ：radio bearer）のセットアップ（setup）、修正（modify）、または解除（release）のために、ＭＡＣメイン設定（MAC main configuration）を修正するために、半静的スケジューリング（ＳＰＳ：Semi-Persistent Scheduling）設定を修正するために、そして専用物理設定（dedicated physical configuration）を修正するために用いられる。
【０２８３】
専用無線資源設定（‘RadioResourceConfigDedicated’）ＩＥは、ＲＲＣ連結設定（RRC Connection Setup）メッセージ、ＲＲＣ連結再設定（RRC Connection Reconfiguration）メッセージ、またはＲＲＣ連結再確立（RRC Connection Reestablishment）メッセージを通じて転送できる。
【０２８４】
ＲＲＣ連結設定（RRC Connection Setup）メッセージはＳＲＢ（Signalling Radio Bearer）を確立するために使われるメッセージであり、ＲＲＣ連結再確立（RRC Connection Reestablishment）メッセージはＳＲＢを再確立するために使われるメッセージである。
【０２８５】
以下、短いＴＴＩ無線資源情報に含まれる情報を説明する。
【０２８６】
−短いＴＴＩサブフレームのための周波数資源情報（Frequency resource information for short TTI sub-frame）
【０２８７】
周波数バンド内で短いＴＴＩが適用されるサブバンドに対する周波数情報を意味する。サブバンド側面及び／又はキャリア側面２レベル無線フレーム構造が用いられる場合、この情報が短いＴＴＩ無線資源情報に含まれることができる。
【０２８８】
短いＴＴＩサブフレームのための周波数資源情報は、サブキャリアまたはＲＢ単位で表現できる。例えば、開始及び／又は終わり資源（即ち、サブキャリアまたはＲＢ）に対するインデックス情報で表現できる。また、開始または終わり資源（即ち、サブキャリアまたはＲＢ）に対するインデックスと資源（即ち、サブキャリアまたはＲＢ）の個数で表現できる。
【０２８９】
サブバンド側面の２レベルフレーム構造の場合（図１２から図１４、図１８）、特定バンド内の短いＴＴＩフレーム構造で構成される特定サブバンドに対する周波数資源情報を示す。
【０２９０】
一方、特定バンドの前バンドで短いＴＴＩが適用される場合（図１５から図１７）、最も高い／低い資源（即ち、サブキャリアまたはＲＢ）インデックスで表現されるか、または予め定まった特定値（例えば、‘０’）にセッティングできる。
【０２９１】
−短いＴＴＩサブフレームのためのシンボル数（The number of symbols for a short TTI sub-frame）
【０２９２】
一つの短いＴＴＩサブフレームに対するシンボル数を意味する。例えば、短い各短いＴＴＩサブフレームが３個のシンボルで構成される‘３’にセッティングできる。
【０２９３】
サブバンド側面及び／又はキャリア側面で２レベル無線フレーム構造が用いられる場合、この情報が短いＴＴＩ無線資源情報に含まれることができる。
【０２９４】
−ｓＰＤＣＣＨのためのシンボル数（The number of symbols for a sPDCCH）
【０２９５】
各短いＴＴＩサブフレーム内でｓＰＤＣＣＨに対するシンボル数を意味する。
【０２９６】
短いＴＴＩサブフレーム内のｓＰＤＣＣＨが存在すれば（図１３、図１７、及び図１８）、この情報が短いＴＴＩ無線資源情報に含まれることができる。
【０２９７】
−スペシャルシンボル数（The number of special symbols）
【０２９８】
レガシーサブフレーム（即ち、１ｍｓ）以内に存在するスペシャルシンボルの数を意味する。例えば、‘１’または‘２’の２つ情報を示す情報を含むことができる。
【０２９９】
短いＴＴＩサブフレーム内のスペシャルシンボルが存在すれば、（図１５及び図１６）、この情報が短いＴＴＩ無線資源情報に含まれることができる。
【０３００】
低レイテンシー（Low latency）を要求する端末は、先の図１９のように、ＲＲＣメッセージを通じて転送される短いＴＴＩ無線資源情報を受信することによって、該当バンドでの短いＴＴＩに対する無線資源情報を確認し、短いＴＴＩ構造を用いてデータを送／受信することができる。
【０３０１】
一方、前述したキャリア／セル側面２レベルフレーム構造（carrier/cell-wise 2-level frame structure）は、キャリア併合（ＣＡ）を用いる端末に対して設定できる。
【０３０２】
この際、低レイテンシー（Low Latency）端末はレガシー端末とは異なる方法によりＰセル及びＳセルを設定する必要がある。これに対して以下の図面を参照して説明する。
【０３０３】
図２０は、本発明の一実施形態に係るキャリア側面２レベルフレーム構造のためのキャリア併合を設定する方法を例示する図である。
【０３０４】
図２０を参照すると、基地局は端末に短いＴＴＩフレーム構造に対する無線資源情報（以下、‘短いＴＴＩ無線資源情報’）をＲＲＣメッセージを通じて端末に転送する（Ｓ２００１）。
【０３０５】
短いＴＴＩ無線資源情報を送受信方法及びこれに含まれる情報は先の図１９の説明と同一であるので、以下、説明を省略する。
【０３０６】
基地局は、キャリア併合を設定するためにＲＲＣ連結再設定（RRC Connection Reconfiguration）メッセージを端末に転送する（Ｓ２００２）。
【０３０７】
端末が短いＴＴＩフレーム構造を有するキャリア／セルを通じてネットワークに接続（attach）手続を遂行した場合、基地局はＲＲＣ連結再設定（RRC Connection Reconfiguration）メッセージを通じて端末にレガシーフレーム構造を有するセルをＳセルに追加することができる。即ち、レガシーフレーム構造を有するキャリア／セルがＳセルに設定できる。
【０３０８】
ＲＲＣ連結再設定（RRC Connection Reconfiguration）メッセージは、専用Ｓセル無線資源設定（‘radioResourceConfigDedicatedSCell’）フィールドを含む。
【０３０９】
専用Ｓセル無線資源設定（‘radioResourceConfigDedicatedSCell’）フィールドは、Ｓセル追加（‘SCellToAddMod’）フィールドを含む。Ｓセル追加（‘SCellToAddMod’）フィールドは、Ｓセルを追加するために用いられるフィールドである。
【０３１０】
Ｓセル追加（‘SCellToAddMod’）フィールドは、Ｓセルインデックス（‘sCellIndex’）フィールド及びセル識別子（‘cellIdentification’）フィールドを含む。
【０３１１】
そして、セル識別子（‘cellIdentification’）フィールドは、物理セル識別子（‘physCellId’）フィールド及びダウンリンクキャリア周波数（‘dl-CarrierFreq’）フィールドを含む。
【０３１２】
Ｓセルインデックス（‘sCellIndex’）フィールドはＳセルを識別するために使われる簡略な（short）識別子を指示するフィールドであって、レガシーフレーム構造で構成されたキャリア／セルのインデックスを含むことができる。
【０３１３】
物理セル識別子（‘physCellId’）フィールドはセルの物理階層識別子を指示するフィールドであって、レガシーフレーム構造で構成されたキャリア／セルの物理階層識別子を含むことができる。そして、ダウンリンクキャリア周波数（‘dl-CarrierFreq’）フィールドはセルの周波数情報を指示するフィールドであって、レガシーフレーム構造で構成されたキャリア／セルの周波数情報を含むことができる。
【０３１４】
図２１は、キャリア側面２レベルフレーム構造のためのキャリア併合を設定する方法を例示する図である。
【０３１５】
図２１を参照すると、基地局は端末に短いＴＴＩフレーム構造に対する無線資源情報（以下、‘短いＴＴＩ無線資源情報’）をＲＲＣメッセージを通じて端末に転送する（Ｓ２１０１）。
【０３１６】
短いＴＴＩ無線資源情報を送受信方法及びこれに含まれる情報は先の図１９の説明と同一であるので、以下、説明を省略する。
【０３１７】
基地局は、キャリア併合を設定するためにＲＲＣ連結再設定（RRC Connection Reconfiguration）メッセージを端末に転送する（Ｓ２１０２）。
【０３１８】
端末がレガシーフレーム構造を有するキャリア／セルを通じてネットワークに接続（attach）手続を遂行した場合、基地局はＲＲＣ連結再設定（RRC Connection Reconfiguration）メッセージを通じて端末に短いＴＴＩフレーム構造を有するセルをセカンダリーＰセル（ｓＰＣｅｌｌ：secondary PCell）に追加することができる。即ち、レガシーフレーム構造のキャリア／セルと短いＴＴＩフレーム構造のキャリア／セルが全てＰセルに設定できる。
【０３１９】
このように、２個のキャリア／セルがＰセルに設定される場合、各キャリア／セルに対する制御はサービス特性によって区分されて遂行されることが好ましい。即ち、短いＴＴＩフレーム構造を有するキャリア／セルの場合には、低レイテンシー（low latency）を要求するサービスのために特化された制御のみを遂行するようにすることができる。
【０３２０】
ここで、Ｐセルが２個ということは、端末が遊休（IDLE）状態またはドーマント（dormant）状態に進入しても２個のキャリア／セルを全てモニタリング（即ち、ＰＤＣＣＨまたはｓＰＤＣＣＨ、またはページング区間（paging interval）など）することを意味する。したがって、同一な意味を有するか、または同一な動作を遂行するＳセルに定義されることもできる。
【０３２１】
ＲＲＣ連結再設定（RRC Connection Reconfiguration）メッセージは、専用Ｓセル無線資源設定（‘radioResourceConfigDedicatedSCell’）フィールドを含む。
【０３２２】
専用Ｓセル無線資源設定（‘radioResourceConfigDedicatedSCell’）フィールドは、セカンダリーＰセル追加（‘sPCellToAddMod’）フィールドを含む。セカンダリーＰセル追加（‘sPCellToAddMod’）フィールドは、セカンダリーＰセルを追加するために用いられるフィールドである。
【０３２３】
Ｐセル追加（‘sPCellToAddMod’）フィールドは、セカンダリーＰセルインデックス（‘sCellIndex’）フィールド及びセル識別子（‘cellIdentification’）フィールドを含む。
【０３２４】
そして、セル識別子（‘cellIdentification’）フィールドは、物理セル識別子（‘physCellId’）フィールド及びダウンリンクキャリア周波数（‘dl-CarrierFreq’）フィールドを含む。
【０３２５】
セカンダリーＰセルインデックス（‘sPCellIndex’）フィールドはセカンダリーＰセルを識別するために使われる簡略な（short）識別子を指示するフィールドであって、短いＴＴＩフレーム構造で構成されたキャリア／セルのインデックスを含むことができる。
【０３２６】
物理セル識別子（‘physCellId’）フィールドは短いＴＴＩフレーム構造で構成されたキャリア／セルの物理階層識別子を含み、ダウンリンクキャリア周波数（‘dl-CarrierFreq’）フィールドは短いＴＴＩフレーム構造で構成されたキャリア／セルの周波数情報を含むことができる。
【０３２７】
一方、基地局は図２０及び図２１のように、端末にＳセルまたはｓＰセルを追加する時、端末に短いＴＴＩ無線フレーム構造で構成されるセルに対する情報を転送することもできる。
【０３２８】
即ち、先の図１９の例示で説明した短いＴＴＩ無線資源情報は、先の図２０のステップＳ２００２または図２１のステップＳ２１０２で端末に転送できる。この場合、図２０のステップＳ２００１または図２１のステップＳ２１０１は省略できる。
【０３２９】
図２２は、本発明の一実施形態に係るデータ送受信方法を例示する図である。
【０３３０】
図２２を参照すると、基地局は第１のＴＴＩ基盤の無線フレーム構造に従うＰＤＳＣＨ領域に第１ダウンリンクデータマッピングする（Ｓ２２０１）。
【０３３１】
基地局は、先の図１２から図１８で説明したように、低レイテンシー（low latency）が要求されない一般ダウンリンクデータをレガシー無線フレーム構造に従うＰＤＳＣＨにマッピングする。ここで、第１のＴＴＩは既存のレガシーＴＴＩ（即ち、１ｍｓ）でありうる。
【０３３２】
基地局は、第２のＴＴＩ基盤の無線フレーム構造に従うｓＰＤＳＣＨ領域に第２ダウンリンクデータマッピングする（Ｓ２２０２）。
【０３３３】
基地局は、先の図１２から図１８で説明したように、低レイテンシー（low latency）が要求されるダウンリンクデータを本発明で提案する短いＴＴＩ無線フレーム構造に従うＰＤＳＣＨにマッピングする。ここで、第２のＴＴＩは本発明で提案するｓＰＤＳＣＨ領域のシンボル個数と同一であるか、またはｓＰＤＣＣＨ及びｓＰＤＳＣＨ領域のシンボル個数（例えば、３シンボル）と同一でありうる。
【０３３４】
前述したように、一つのバンド内でサブバンド側面の２レベル無線フレーム構造（subband-wise 2-level radio frame structure）で構成されることができ、互いに異なるバンドでキャリア側面の２レベル無線フレーム構造（carrier-wise 2-level radio frame structure）で構成されることもできる。
【０３３５】
互いに異なるバンドでキャリア側面の２レベル無線フレーム構造（carrier-wise 2-level radio frame structure）で構成される場合、短いＴＴＩ無線フレーム構造で構成されるセルがＰセルに設定できる。また、レガシー無線フレーム構造で構成されるセルと短いＴＴＩ無線フレーム構造で構成されるセル全てＰセルに設定されることもできる。
【０３３６】
ＰＤＳＣＨ領域にマッピングされる第１ダウンリンクデータに対する制御情報とｓＰＤＳＣＨ領域にマッピングされる第２ダウンリンクデータに対する制御情報全てレガシー無線フレーム構造に従うＰＤＣＣＨを介して転送できる。
【０３３７】
また、ＰＤＳＣＨ領域にマッピングされる第１ダウンリンクデータに対する制御情報はレガシー無線フレーム構造に従うＰＤＣＣＨを介して転送されるが、ｓＰＤＳＣＨ領域にマッピングされる第２ダウンリンクデータに対する制御情報は本発明で提案する短いＴＴＩ無線フレーム構造に従うｓＰＤＣＣＨを介して転送できる。
【０３３８】
ＰＤＣＣＨまたはｓＰＤＣＣＨを介して転送されるダウンリンク制御情報に対する説明は、先の図１２から図１８と同一であるので説明を省略する。
【０３３９】
第１ダウンリンクデータ及び第２ダウンリンクデータを転送する以前に、基地局は先の図１９の例示のようにセル特定のＲＲＣメッセージまたは端末特定のＲＲＣメッセージを通じて短いＴＴＩ無線資源情報を転送することができる。
【０３４０】
一方、図２２では説明の便宜のために先のステップＳ２２０１がステップＳ２２０２より先に遂行されることと説明したが、ステップＳ２２０２がステップＳ２２０１より先に遂行できる。
【０３４１】
また、ステップＳ２２０１とステップＳ２２０２が時間上に同時遂行されることもできる。
【０３４２】
図２３は、本発明の一実施形態に係るダウンリンクデータ転送方法を例示する図である。
【０３４３】
図２３を参照すると、端末は第１のＴＴＩ基盤の無線フレーム構造に従うＰＤＳＣＨ領域で第１ダウンリンクデータを受信する（Ｓ２３０１）。
【０３４４】
端末はＰＤＣＣＨ領域をブラインドデコーディングして自身に転送されるダウンリンク制御情報を獲得する。そして、獲得したダウンリンク制御情報に基づいてＰＤＳＣＨ領域で自身に転送されるダウンリンクデータをデコーディングする。
【０３４５】
端末は、第２のＴＴＩ基盤の無線フレーム構造に従うｓＰＤＳＣＨ領域で第２ダウンリンクデータ受信する（Ｓ２３０２）。
【０３４６】
端末は、ＰＤＣＣＨ領域またはｓＰＤＣＣＨ領域をブラインドデコーディングして自身に転送されるダウンリンク制御情報を獲得する。そして、獲得したダウンリンク制御情報に基づいてｓＰＤＳＣＨ領域で自身に転送されるダウンリンクデータをデコーディングする。
【０３４７】
図２３は、端末側面でサブバンド側面の２レベル無線フレーム構造（subband-wise 2-level radio frame structure）または互いに異なるバンドでキャリア側面の２レベル無線フレーム構造（carrier-wise 2-level radio frame structure）を通じてダウンリンクデータを受信する方法を例示する。
【０３４８】
端末はステップＳ２３０１及びステップＳ２３０２の以前に、先の図１９の例示のように、短いＴＴＩ無線資源情報を基地局から受信することができる。また、図２０のステップＳ２００２または図２１のステップＳ２１０２で基地局によりキャリア併合が設定される時（即ち、Ｓセル追加またはｓＰセル追加）、短いＴＴＩ無線資源情報を基地局から受信することができる。
【０３４９】
一方、本発明はアップリンクバンドでも同一な方法により適用できる。
【０３５０】
例えば、ｎシンボルのＴＴＩ（例えば、３シンボル）を通じて一つのレガシーサブフレームに１４／ｎ個（一般ＣＰが適用された場合）の短いサブフレーム（整数値、ｎ＝３の場合、４個の短いサブフレーム）と１４％ｎ個のスペシャルシンボル（ｎ＝３の場合、２個のスペシャルシンボル）が存在する構造で動作するようにする。ここで、１４％ｎ個のスペシャルシンボルは、基地局からアップリンク資源割り当て（UL grant）無しで端末間の競争を通じてアップリンクデータを転送することができる競争基盤資源（contention-based resource）に使用するように設計することができる。
【０３５１】
本発明で提案する２−レベルフレーム構造は、レガシー端末に及ぼす影響を最小化する新たなフレーム構造を使用して低レイテンシー（low latency）データを送受信できるようにする効果を有する。
【０３５２】
具体的に、本発明で提案するバンドで動作するレガシー端末は、データ受信のために毎サブフレームの全帯域ＰＤＣＣＨをブラインドデコーディングする。そして、レガシー端末は自身に転送される制御情報がある場合、それに該当するデータをＰＤＣＣＨを介して受信した情報に基づいて受信する。
【０３５３】
但し、基地局は低レイテンシーのために割り当てられたサブバンドにレガシー端末のためのデータスケジューリングを遂行しないので、レガシー端末にどんな新たな動作の遂行を要求しない。だけでなく、仮に該当１ｍｓサブフレームで低レイテンシーのためのサブバンドに転送されるデータが存在しない場合、基地局は低レイテンシーのためのサブバンド資源をレガシー端末のデータ転送のために既存と同一な資源割り当て方式を用いることができる。このようなＰＤＣＣＨに対するＰＤＳＣＨ資源割り当ては基地局制御により遂行されるので、レガシー端末のためにはレガシー方式をそのまま使用することができる長所がある。
【０３５４】
ここで、低レイテンシーを要求する５Ｇ端末は、ｓＰＤＳＣＨ資源領域でデータを受信することによって、短いＴＴＩを用いてより早くデータが受信できるようになる。しかしながら、先の多様な実施形態でｓＰＤＳＣＨに対するＰＤＣＣＨマッピング方法によってデータ受信遅延は多少異なる効果を有することができるが、従来の１ｍｓサブフレーム構造を用いたデータ転送時の遅延よりは全て短い遅延でデータを受信することができる効果がある。
【０３５５】
図２４は、本発明の一実施形態に係る短いＴＴＩ無線フレーム構造での無線送受信遅延を例示する図である。
【０３５６】
図２４では、１ＴＴＩが３シンボル（即ち、０．２１３ｍｓ）に設定される場合、ダウンリンク送受信具現観点から無線送受信遅延を例示する。
【０３５７】
図２４を参照すると、基地局（ｅＮＢ）がダウンリンクデータの転送を始めた時点から端末（ＵＥ）がダウンリンクデータの受信を始めるまで拡散遅延（ＰＤ：Propagation Delay）が発生する。そして、端末がダウンリンクデータのデコーディング前にダウンリンクデータをバッファリング（Ｂｕｆｆ：Buffering）するにつれて、バッファリング遅延が発生する。端末でのバッファリングによる遅延は、総約０．０７１ｍｓかかることができる。端末でダウンリンクデータ（及び制御情報）デコーディングによるプロセシング遅延（processing delay）は、約０．５２５ｍｓ未満がかかることができる。
【０３５８】
このように、基地局から端末への単方向無線レイテンシー（one-way OTA（Over-To-Air）Latency）は約０．６ｍｓ未満がかかることができる。
【０３５９】
そして、端末でＡ／Ｎ（ＡＣＫ／ＮＡＣＫ）準備（Ｐｒｅｐ：Preparation）（例えば、ＡＣＫ／ＮＡＣＫエンコーディングなど）のための遅延とＡ／Ｎの転送時に発生する拡散遅延（ＰＤ）は、総約０．３ｍｓ未満がかかる。
【０３６０】
前記のように、単方向データ転送に対して送信側（例えば、基地局）で、受信側（例えば、端末）からＡＣＫ／ＮＡＣＫ受信までの総往復無線レイテンシー（Round trip OTA Latency）に約１ｍｓがかかることができる。
【０３６１】
結局、本発明の短いＴＴＩフレーム構造を用いることによって、先の図１１の例示と比較すると、総往復無線レイテンシー（Round trip OTA Latency）は、約３ｍｓが減少する効果を有することができる。
【０３６２】
本発明が適用できる装置一般
図２５は、本発明の一実施形態に係る無線通信装置のブロック構成図を例示する。
【０３６３】
図２５を参照すると、無線通信システムは、基地局２５１０と、基地局２５１０領域内に位置した多数の端末２５２０を含む。
【０３６４】
基地局２５１０は、プロセッサ（processor）２５１１、メモリ（memory）２５１２、及びＲＦ部（radio frequency unit）２５１３を含む。プロセッサ２５１１は、先の図１から図２３で提案された機能、過程及び／又は方法を具現する。無線インターフェースプロトコルの階層はプロセッサ２５１１により具現できる。メモリ２５１２はプロセッサ２５１１と連結されて、プロセッサ２５１１を駆動するための多様な情報を格納する。ＲＦ部２５１３はプロセッサ２５１１と連結されて、無線信号を送信及び／又は受信する。
【０３６５】
端末２５２０は、プロセッサ２５２１、メモリ２５２２、及びＲＦ部２５２３を含む。プロセッサ２５２１は、先の図１から図２３で提案された機能、過程及び／又は方法を具現する。無線インターフェースプロトコルの階層はプロセッサ２５２１により具現できる。メモリ２５２２はプロセッサ２５２１と連結されて、プロセッサ２５２１を駆動するための多様な情報を格納する。ＲＦ部２５２３はプロセッサ２５２１と連結されて、無線信号を送信及び／又は受信する。
【０３６６】
メモリ２５１２、２５２２は、プロセッサ２５１１、２５２１の内部または外部にあることができ、よく知られた多様な手段によりプロセッサ２５１１、２５２１と連結できる。また、基地局２５１０及び／又は端末２５２０は、一つのアンテナ（single antenna）または多重アンテナ（multiple antenna）を有することができる。
【０３６７】
以上で説明された実施形態は本発明の構成要素と特徴が所定の形態に結合されたものである。各構成要素または特徴は別途の明示的な言及がない限り、選択的なものとして考慮されなければならない。各構成要素または特徴は、他の構成要素や特徴と結合されない形態に実施できる。また、一部の構成要素及び／又は特徴を結合して本発明の実施形態を構成することも可能である。本発明の実施形態で説明される動作の順序は変更できる。ある実施形態の一部の構成や特徴は他の実施形態に含まれることができ、または他の実施形態の対応する構成または特徴と取替えできる。特許請求範囲で明示的な引用関係のない請求項を結合して実施形態を構成するか、または出願後の補正により新たな請求項に含めることができることは自明である。
【０３６８】
本発明に従う実施形態は多様な手段、例えば、ハードウェア、ファームウエア（firmware）、ソフトウェア、またはそれらの結合などにより具現できる。ハードウェアによる具現の場合、本発明の一実施形態は一つまたはその以上のＡＳＩＣｓ （application specific integrated circuits）、ＤＳＰｓ（digital signal processors）、ＤＳＰＤｓ （digital signal processing devices）、ＰＬＤｓ（programmable logic devices）、ＦＰＧＡｓ （field programmable gate arrays）、プロセッサ、コントローラ、マイクロコントローラ、マイクロプロセッサなどにより具現できる。
【０３６９】
ファームウエアやソフトウェアによる具現の場合、本発明の一実施形態は以上で説明された機能または動作を遂行するモジュール、手続、関数などの形態に具現できる。ソフトウェアコードはメモリに格納されてプロセッサにより駆動できる。前記メモリは、前記プロセッサの内部または外部に位置して、既に公知された多様な手段により前記プロセッサとデータをやり取りすることができる。
【０３７０】
本発明は、本発明の必須的特徴を逸脱しない範囲で他の特定の形態に具体化できることは当業者に自明である。したがって、前述した詳細な説明は全ての面で制限的に解析されてはならず、例示的なものとして考慮されなければならない。本発明の範囲は添付した請求項の合理的な解析により決定されなければならず、本発明の等価的な範囲内での全ての変更は本発明の範囲に含まれる。
【産業上の利用可能性】
【０３７１】
本発明の無線通信システムにおけるデータ送受信方案は、３ＧＰＰ ＬＴＥ／ＬＴＥ−Ａシステムに適用される例を中心として説明したが、３ＧＰＰ ＬＴＥ／ＬＴＥ−Ａシステムの以外にも多様な無線通信システムに適用可能である。
【図１】
0006781152.tif 000008
【図２】
0006781152.tif 000009
【図３】
0006781152.tif 000010
【図４】
0006781152.tif 000011
【図５】
0006781152.tif 000012
【図６】
0006781152.tif 000013
【図７】
0006781152.tif 000014
【図８】
0006781152.tif 000015
【図９】
0006781152.tif 000016
【図１０】
0006781152.tif 000017
【図１１】
0006781152.tif 000018
【図１２】
0006781152.tif 000019
【図１３】
0006781152.tif 000020
【図１４】
0006781152.tif 000021
【図１５】
0006781152.tif 000022
【図１６】
0006781152.tif 000023
【図１７】
0006781152.tif 000024
【図１８】
0006781152.tif 000025
【図１９】
0006781152.tif 000026
【図２０】
0006781152.tif 000027
【図２１】
0006781152.tif 000028
【図２２】
0006781152.tif 000029
【図２３】
0006781152.tif 000030
【図２４】
0006781152.tif 000031
【図２５】
0006781152.tif 000032